(57)【特許請求の範囲】
【請求項１】
端末（ＵＥ）が時分割二重化（ＴＤＤ）システムにおいて基地局と通信し、前記基地局によりＣ個のダウンリンク（ＤＬ）セル、前記Ｃより小さいか同じ数であるＣ２個で構成されたそれぞれのＤＬセルで一つの送信時間間隔（ＴＴＩ）の間に最大２個のデータ送信ブロック（ＴＢ）を伝達する送信モード（ＴＭ）、及びＣ−Ｃ２個で構成されたそれぞれのＤＬセルで一つのＴＴＩの間に一つのデータＴＢを伝達するＴＭを有するように構成され、前記ＵＥは、サイズＮｂｕｎｄｌｅであるバンドリングウィンドウと呼ばれるＮｂｕｎｄｌｅ個のＴＴＩのうち少なくとも一つを介して前記Ｃ個で構成されたＤＬセルのうち少なくとも一つで少なくとも一つのデータＴＢを受信し、前記少なくとも一つのデータＴＢの受信は、ＤＬスケジューリング割り当て（ＳＡ）の送信を介して前記基地局によりスケジューリングされ、前記ＤＬ ＳＡは、ＤＬ割り当てインデックス（ＤＡＩ）情報要素（ＩＥ）を含み、受信確認信号が前記ＵＥにより前記少なくとも一つのデータＴＢの受信に対する応答で送信される、前記端末の前記受信確認信号に対する送信電力を決定する方法であって、
前記Ｃ個で構成されたセル及び前記バンドリングウィンドウを介してＮｒｅｃｅｉｖｅｄ個のデータＴＢを受信するステップと、
前記Ｃ個で構成されたセル及び前記バンドリングウィンドウを介して検出されたＤＬ ＳＡでの前記ＤＬ ＤＡＩ ＩＥの値から、前記基地局が前記ＵＥに送信したが、前記ＵＥが検出できない  
ＤＬ ＳＡの数
【数１１５】
0005980789.tif 000117
及び前記ＵＥが最大２個のデータＴＢを伝達するＴＭを有するように構成されたＤＬセルにおける前記ＤＬ ＳＡの数
【数１１６】
0005980789.tif 000118
に該当する
【数１１７】
0005980789.tif 000119
を決定するステップと、
【数１１８】
0005980789.tif 000120
の値から得られた電力で前記受信確認信号を送信するステップと、を含むことを特徴とする送信電力決定方法。
【請求項２】
各構成されたＤＬセルｃ（ｃ＝０、１、・・・、Ｃ−１）に対するＤＬ ＳＡでの前記ＤＬ ＤＡＩ ＩＥは、前記構成されたＤＬセルｃで送信された前記ＤＬ ＳＡのカウンター及び
【数１１９】
0005980789.tif 000121
であり、
【数１２０】
0005980789.tif 000122
は、前記ＵＥが前記構成されたＤＬセルｃで前記バンドリングウィンドウを介して検出したＤＬ ＤＡＩ ＩＥ値を示し、ＵＤＡＩ（ｃ）は、前記ＵＥが前記構成されたＤＬセルｃで前記バンドリングウィンドウを介して検出したＤＬ ＳＡの総数を示し、ＴＢｍａｘ（ｃ）は、前記構成されたＤＬセルｃで前記構成されたＴＭと関連したＴＢの最大数を示し、
【数１２１】
0005980789.tif 000123
であり、
Ｎｒｅｃｅｉｖｅｄ（ｍ，ｃ）は、前記バンドリングウィンドウのＤＬサブフレームｍの前記構成されたＤＬセルｃで受信されたＴＢの数を示すことを特徴とする請求項１に記載の送信電力決定方法。
【請求項３】
前記受信確認信号の送信電力は、
【数１２２】
0005980789.tif 000124
値の増加に応じて増加することを特徴とする請求項１に記載の送信電力決定方法。
【請求項４】
前記基地局が前記ＵＥに送信したが、前記ＵＥが受信していないデータＴＢの数は、
【数１２３】
0005980789.tif 000125
と異なることを特徴とする請求項１に記載の送信電力決定方法。
【請求項５】
前記受信確認信号は、前記ＵＥが線形ブロックコードを用いてコードワードとして符号化し、前記符号化された受信確認ビットを直交位相シフト変調（ＱＰＳＫ）を用いて変調するＮｂｕｎｄｌｅ・（Ｃ＋Ｃ２）個の受信確認ビットを伝達することを特徴とする請求項１に記載の送信電力決定方法。
【請求項６】
前記基地局が前記ＵＥに送信したが、前記ＵＥが検出できない
【数１２４】
0005980789.tif 000126
個のＤＬ ＳＡは、前記基地局が前記ＵＥに送信したが、前記ＵＥが検出できない前記ＤＬ ＳＡの実際数より小さいことを特徴とする請求項１に記載の送信電力決定方法。
【請求項７】
端末（ＵＥ）は、基地局によりＣ個のダウンリンク（ＤＬ）セル、前記Ｃより小さいか同じ数であるＣ２個で構成されたＤＬそれぞれのセルで一つの送信時間間隔（ＴＴＩ）の間に最大２個のデータ送信ブロック（ＴＢ）を伝達する送信モード（ＴＭ）、及びＣ−Ｃ２個で構成されたそれぞれのＤＬセルで一つのＴＴＩの間に一つのデータＴＢを伝達するＴＭを有するように構成され、受信確認情報ビットは、前記ＵＥが前記Ｃ個のセル及びサイズＮｂｕｎｄｌｅであるバンドリングウィンドウと呼ばれるＮｂｕｎｄｌｅ個のＴＴＩを介したデータＴＢの潜在的受信に対する応答であり、前記ＵＥが各データＴＢの受信に対する応答で別途の受信確認情報を生成する、前記ＵＥが時分割二重化（ＴＤＤ）通信システムの物理アップリンク共有チャンネル（ＰＵＳＣＨ）においてデータ情報ビットと共に前記基地局に、請求項１乃至請求項６のいずれか一項に記載の送信電力で、送信するための前記受信確認情報ビットの数を決定する方法であって、
前記ＰＵＳＣＨ送信が上位レイヤーシグナリングを介して前記基地局により構成される場合、総Ｎｂｕｎｄｌｅ・（Ｃ＋Ｃ２）個の受信確認情報ビットに対して、前記ＵＥが一つのＴＴＩで最大２個のデータＴＢを伝達するＴＭを有するように構成された各セルに対する２・Ｎｂｕｎｄｌｅ個の受信確認情報ビット及び一つのＴＴＩで一つのデータＴＢを伝達するＴＭを有するように構成された各セルに対するＮｂｕｎｄｌｅ個の受信確認情報ビットを生成するステップと、
前記ＰＵＳＣＨで前記生成された受信確認情報ビット及び前記データ情報ビットを送信するステップと、を含むことを特徴とする受信確認情報ビットの数を決定する方法。
【請求項８】
前記受信確認情報ビットは、上位レイヤーシグナリングを介して前記基地局により前記ＵＥに伝達される前記構成されたＤＬセルのインデックス（ｃ＝０、１、・・・、Ｃ−１）によって指示されることを特徴とする請求項７に記載の受信確認情報ビットの数を決定する方法。
【請求項９】
前記基地局は、構成されたＤＬセルｃ（ｃ＝０、１、・・・、Ｃ−１）に対して、ダウンリンク（ＤＬ）ＳＡをＤＡＩ ＩＥを含む各ＤＬ ＳＡを有する前記ＵＥに送信し、前記構成されたＤＬセルに対して前記受信確認情報ビットは、前記ＵＥにより検出された前記ＤＬ ＳＡでの前記ＤＡＩ ＩＥの値によって指示されることを特徴とする請求項７に記載の受信確認情報ビットの数を決定する方法。
【請求項１０】
前記基地局は、物理ダウンリンク共有チャンネル（ＰＤＳＣＨ）でデータＴＢを前記ＵＥに送信し、ＵＬ ＳＡでのＤＡＩ ＩＥの同じ値に対して、前記ＵＥが少なくても一つのＰＤＳＣＨ又は少なくとも一つのダウンリンク（ＤＬ）ＳＡを受信する場合、前記ＵＥは、前記ＰＵＳＣＨでの受信確認情報ビットを含み、受信しない場合、前記ＵＥは、前記ＰＵＳＣＨでの受信確認情報ビットを含まないことを特徴とする請求項７に記載の受信確認情報ビットの数を決定する方法。
【請求項１１】
端末（ＵＥ）装置は、基地局と通信し、前記基地局によりＣ個のダウンリンク（ＤＬ）セル、前記Ｃより小さいか同じ数であるＣ２個で構成されたそれぞれのＤＬセルで一つ送信時間間隔（ＴＴＩ）の間に最大２個のデータ送信ブロック（ＴＢ）を伝達する送信モード（ＴＭ）、Ｃ−Ｃ２個で構成されたそれぞれのＤＬセルで一つのＴＴＩの間に一つのデータＴＢを伝達するＴＭを有するように構成され、サイズＮｂｕｎｄｌｅであるバンドリングウィンドウと呼ばれるＮｂｕｎｄｌｅ個のＴＴＩのうち少なくとも一つを介して前記Ｃ個で構成されたＤＬセルのうち少なくとも一つで少なくとも一つのデータＴＢを受信し、前記少なくとも一つのデータＴＢの受信は、ＤＬスケジューリング割り当て（ＳＡ）の送信を介して前記基地局によりスケジューリングされ、前記ＤＬ ＳＡは、ＤＬ割り当てインデックス（ＤＡＩ）情報要素（ＩＥ）を含み、受信確認信号は、前記ＵＥ装置により前記少なくとも一つのデータＴＢの受信に対する応答で送信される、時分割二重化（ＴＤＤ）システムにおける前記受信確認信号を送信する前記ＵＥ装置であって、
前記Ｃ個で構成されたセル及び前記バンドリングウィンドウを介してＮｒｅｃｅｉｖｅｄ個のデータＴＢを受信する受信部と、
前記ＵＥ装置が前記Ｃ個で構成されたセル及び前記バンドリングウィンドウを介して検出したＤＬ ＳＡでの前記ＤＬ ＤＡＩ ＩＥの値から、前記基地局が前記ＵＥ装置に送信したが、前記ＵＥが検出できない  
ＤＬ ＳＡの数
【数１２５】
0005980789.tif 000127
及び前記ＵＥが最大２個のデータＴＢを伝達するＴＭを有するように構成されたＤＬセルにおける前記ＤＬ ＳＡの数
【数１２６】
0005980789.tif 000128
を計算する計算部と、
【数１２７】
0005980789.tif 000129
値に依存する電力を有する前記受信確認信号を送信する送信部と、を含むことを特徴とするＵＥ装置。
【請求項１２】
各構成されたＤＬセルｃ（ｃ＝０、１、・・・、Ｃ−１）に対するＤＬ ＳＡでの前記ＤＬ ＤＡＩ ＩＥは、前記構成されたＤＬセルｃで送信された前記ＤＬ ＳＡのカウンター及び
【数１２８】
0005980789.tif 000130
であり、
【数１２９】
0005980789.tif 000131
は、前記ＵＥ装置が前記構成されたＤＬセルｃで前記バンドリングウィンドウを介して検出したＤＬ ＤＡＩ ＩＥ値を示し、ＵＤＡＩ（ｃ）は、前記ＵＥ装置が前記構成されたＤＬセルｃで前記バンドリングウィンドウを介して検出したＤＬ ＳＡの総数を示し、ＴＢｍａｘ（ｃ）は、前記構成されたＤＬセルｃで前記構成されたＴＭと関連したＴＢの最大数を示し、
【数１３０】
0005980789.tif 000132
であり、Ｎｒｅｃｅｉｖｅｄ（ｍ，ｃ）は、前記バンドリングウィンドウのＤＬサブフレームｍの前記構成されたＤＬセルｃで受信されたＴＢの数を示すことを特徴とする請求項１１に記載のＵＥ装置。
【請求項１３】
前記受信確認信号の送信電力は、
【数１３１】
0005980789.tif 000133
値の増加に応じて増加することを特徴とする請求項１１に記載のＵＥ装置。
【請求項１４】
前記基地局が前記ＵＥ装置に送信したが、前記ＵＥ装置が受信していないデータＴＢの数は、
【数１３２】
0005980789.tif 000134
と異なることを特徴とする請求項１１に記載のＵＥ装置。
【請求項１５】
前記受信確認信号は、前記ＵＥ装置が線形ブロックエンコーダを用いてコードワードとして符号化するＮｂｕｎｄｌｅ・（Ｃ＋Ｃ２）個の受信確認ビットを伝達し、
前記符号化された受信確認ビットを変調器を使用する直交位相シフト変調に変調することを特徴とする請求項１１に記載のＵＥ装置。
【請求項１６】
前記基地局が前記ＵＥ装置に送信したが、前記ＵＥ装置が検出できない前記
【数１３３】
0005980789.tif 000135
個のＤＬ ＳＡは、前記基地局が前記ＵＥ装置に送信して前記ＵＥ装置が検出できないＤＬ ＳＡの実際数より小さいことを特徴とする請求項１１に記載のＵＥ装置。
【請求項１７】
ＵＥ装置は、基地局によりＣ個のダウンリンク（ＤＬ）セル、前記Ｃより小さいか同じ数であるＣ２個で構成されたそれぞれのＤＬセルで一つの送信時間間隔（ＴＴＩ）の間に最大２個のデータ送信ブロック（ＴＢ）を伝達する送信モード（ＴＭ）、及びＣ−Ｃ２個で構成されたそれぞれのＤＬセルで一つのＴＴＩの間に一つのデータＴＢを伝達するＴＭを有するように構成され、受信確認情報ビットは、前記ＵＥ装置が前記Ｃ個のセル及びサイズＮｂｕｎｄｌｅであるバンドリングウィンドウと呼ばれるＮｂｕｎｄｌｅ個のＴＴＩを介してデータＴＢを潜在的に受信することに対する応答であり、前記ＵＥ装置が各データＴＢの受信に対する応答で別途の受信確認情報を生成する、時分割二重化（ＴＤＤ）通信システムの物理アップリンク共有チャンネル（ＰＵＳＣＨ）におけるデータ情報ビットと共に、前記基地局に送信するための前記受信確認情報ビットの数を決定する、請求項１１乃至請求項１６のいずれか一項に記載の、前記ＵＥ装置であって、
前記ＰＵＳＣＨ送信が上位レイヤーシグナリングを介して前記基地局により構成される場合、総Ｎｂｕｎｄｌｅ・（Ｃ＋Ｃ２）
個の受信確認情報ビットに対して、前記ＵＥ装置が一つのＴＴＩで最大２個のデータＴＢを伝達するＴＭを有するように構成された各セルに対する２・Ｎｂｕｎｄｌｅ個の受信確認情報ビット及び前記ＵＥ装置が一つのＴＴＩで一つのデータＴＢを伝達するＴＭを有するように構成された各セルに対するＮｂｕｎｄｌｅ個の受信確認情報ビットを生成する生成部と、
前記ＰＵＳＣＨでの前記生成された受信確認情報ビット及び前記データ情報ビットを送信する送信部と、を含むことを特徴とするＵＥ装置。
【請求項１８】
前記受信確認情報ビットは、上位レイヤーシグナリングを介して前記基地局により前記ＵＥ装置に伝達される前記構成されたＤＬセルのインデックス（ｃ＝０、１、・・・、Ｃ−１）によって指示されることを特徴とする請求項１７に記載のＵＥ装置。
【請求項１９】
前記基地局は、構成されたＤＬセルｃ（ｃ＝０、１、・・・、Ｃ−１）に対して、ＤＡＩ ＩＥを含む各ＤＬ ＳＡを有する前記ＵＥ装置にダウンリンク（ＤＬ）ＳＡを送信し、前記構成されたＤＬセルに対して前記受信確認情報ビットは、前記ＵＥ装置により検出された前記ＤＬ ＳＡでの前記ＤＡＩ ＩＥの値によって指示されることを特徴とする請求項１７に記載のＵＥ装置。
【請求項２０】
前記基地局は、物理ダウンリンク共有チャンネル（ＰＤＳＣＨ）でデータＴＢを前記ＵＥ装置に送信し、
ＵＬ ＳＡでのＤＡＩ ＩＥの同じ値に対して、前記ＵＥ装置が少なくても一つのＰＤＳＣＨ又は少なくとも一つのダウンリンク（ＤＬ）ＳＡを受信する場合、前記ＵＥ装置は、前記ＰＵＳＣＨでの受信確認情報ビットを含み、受信しない場合、前記ＵＥ装置は、前記ＰＵＳＣＨでの受信確認情報ビットを含まないことを特徴とする請求項１７に記載のＵＥ装置。
【発明の詳細な説明】
【技術分野】
【０００１】
本発明は、無線通信システムに関し、特に、通信システムのアップリンクでの受信確認情報の送信に関する。
【背景技術】
【０００２】
通信システムは、基地局(Base Station:ＢＳ）又はノードＢ(NodeB)からの送信信号をユーザ端末(User Equipment:ＵＥ）に伝達するダウンリンク(DownLink:ＤＬ)及びＵＥからの信号をノードＢに伝達するアップリンク(UpLink:ＵＬ)を含む。一般的に、端末又は移動局と呼ばれるＵＥは、固定されてもよく又は移動してもよく、無線機器、携帯電話、個人用コンピュータ機器、移動電子機器、又は他の類似の固定又は移動電子機器であり得る。ノードＢは、一般的に固定局（Fixed  station）であり、アクセスポイント又はいくつかの他の等しい用語でも呼ばれることもある。
【０００３】
より詳細に、ＵＬは、ＤＬでのデータ信号の送信と関連した制御情報を提供する制御信号の情報コンテンツ及び一般的にパイロット信号と呼ばれる基準信号(Reference Signal:ＲＳ）の情報コンテンツを運搬するデータ信号を送信する。ＤＬはまたデータ信号、制御信号、及びＲＳの送信を伝達する。
【０００４】
ＵＬデータ信号は、物理アップリンク共有チャンネル(Physical Uplink Shared CHannel:ＰＵＳＣＨ)を介して送信され、ＤＬデータ信号は、物理ダウンリンク共有チャンネル(Physical Downlink Shared CHannel:ＰＤＳＣＨ)を介して送信される。ＰＵＳＣＨ送信が発生しない場合、ＵＥは、物理アップリンク制御チャンネル(Physical Uplink Control CHannel:ＰＵＣＣＨ)を介してＵＬ制御情報(ＵＬ Control Information:ＵＣＩ)を伝達する。しかしながら、ＰＵＳＣＨ送信が発生する場合、ＵＥは、ＰＵＳＣＨを介してデータと共にＵＣＩを伝達することができる。
【０００５】
ＤＬ制御信号は、ＵＥ特定の方式でブロードキャストされるか又は送信されることができる。したがって、他の目的の中で、ＵＥ特定制御チャンネルは、ＵＥにＰＤＳＣＨ受信のためのスケジューリング割り当て(Scheduling Assignment:ＳＡ)、又は言い換えれば、ＤＬ ＳＡ又はＰＵＳＣＨ送信、又は言い換えれば、ＵＬ ＳＡを提供するために使用されることができる。ＳＡは、それぞれの物理ＤＬ制御チャンネル(ＰＤＣＣＨｓ)を介してノードＢからＤＬ制御情報(ＤＬ Control Information:ＤＣＩ)フォーマットを使用するそれぞれのＵＥに送信される。
【０００６】
ノードＢは、無線リソース制御(Radio Resource Control:ＲＲＣ)シグナリング、ＰＤＳＣＨ及びＰＵＳＣＨ送信モード(Transmission Mode:ＴＭ)のような上位レイヤーシグナリングを介してＵＥを構成することができる。ＰＤＳＣＨ ＴＭ又はＰＵＳＣＨ ＴＭは、それぞれＤＬ ＳＡ又はＵＬ ＳＡと関連し、それぞれのＰＤＳＣＨ又はＰＵＳＣＨが１個のデータ送信ブロック(Transport Block:ＴＢ)、又は２個のデータＴＢを伝達するか否かを定義する。
【０００７】
ＰＤＳＣＨ又はＰＵＳＣＨ送信は、それぞれのＤＬ ＳＡ又はＵＬ ＳＡを用いて上位レイヤーシグナリング又はＰＤＣＣＨシグナリングのような物理階層シグナリングを介してノードＢによりスケジューリングされ、ＵＥに割り当てられるか、与えられたハイブリッド自動再送要求(Hybrid Automatic Repeat reQuest:ＨＡＲＱ）プロセスに対する非適応型再送信に該当する。上位レイヤーシグナリングによるスケジューリングは、半持続スケジューリング(Semi-Persistent Scheduling:ＳＰＳ)と呼ばれ、ＰＤＣＣＨによるスケジューリングは、動的スケジューリング(dynamic scheduling)と呼ばれる。ＰＤＣＣＨは、ＳＰＳ ＰＤＳＣＨ又はＳＰＳ ＰＤＳＣＨを解除(release)するために使用されることができる。仮にＵＥがＰＤＣＣＨをミスした場合、すなわち、ＰＤＣＣＨ検出に失敗した場合、ＵＥはまた関連するＰＤＳＣＨ又はＰＵＳＣＨをミスするようになる。このようなイベントは、不連続送信(Discontinuous Transmission:ＤＴＸ)と呼ばれる。
【０００８】
ＵＣＩは、ＨＡＲＱプロセスと関連した肯定受信確認(ACKnowledgment:ＡＣＫ)情報、すなわち、ＨＡＲＱ−ＡＣＫを含む。ＨＡＲＱ−ＡＣＫ情報は、ＵＥが正確に受信したＴＢに対する肯定ＡＣＫに該当する多重ビット、又は、ＵＥが不正確に受信したＴＢに対する否定受信確認(ＮＡＣＫ）でなされることができる。ＵＥがＴＢを受信しない場合、ＵＥはトライステート(tri-state)ＨＡＲＱ−ＡＣＫ情報を含むＤＴＸを送信することができるか、ＴＢの不在及びＴＢの不正確な受信は全部(結合されたＮＡＣＫ／ＤＴＸ状態で)ＮＡＣＫにより表現されることができる。ＵＥがＤＴＸをノードＢに伝達しない結果は、増分リダンダンシー(Incremental Redundancy:ＩＲ)がＨＡＲＱプロセスに使用されることができないようにする。これは処理量損失をもたらす。またＤＴＸフィードバックに基づくＰＤＣＣＨ電力制御を不可能にする他の結果をもたらす。
【０００９】
時分割二重化(Time Division Duplex:ＴＤＤ)システムにおいて、ＤＬ及びＵＬ送信は、サブフレームと呼ばれる異なる送信時間間隔(Transmission Time Intervals:ＴＴＩ)で発生する。例えば、１０個のサブフレームを含む一つのフレームで、いくつかのサブフレームは、ＤＬ送信のために使用されることができ、いくつかのサブフレームは、ＵＬ送信のために使用されることができる。
【００１０】
図１は、従来技術によるＴＤＤシステムに対するフレーム構造を示す図である。
【００１１】
図１を参照すると、１０ｍｓフレームは２個の同じ５ｍｓハーフフレームでなされる。それぞれの５ｍｓハーフフレーム１１０は、８個のスロット１２０と、３個の特殊フィールドであるＤＬパイロット時間スロット(ＤＬ Pilot Time Slot:ＤｗＰＴＳ）１３０、ガード周期(Guard Period:ＧＰ)１４０、及びＵＬパイロット時間スロット(ＵＬ Pilot Time Slot:ＵｐＰＴＳ）１５０で分割される。ＤｗＰＴＳ＋ＧＰ＋ＵｐＰＴＳの長さは、一つのサブフレーム１６０に該当し、１ｍｓである。ＤｗＰＴＳは、ノードＢからの同期化信号の送信のために使用されることができ、一方、ＵｐＰＴＳは、ＵＥからのランダムアクセス信号の送信のために使用されることができる。ＧＰは、一時的干渉を吸収してＤＬとＵＬ送信間の遷移を容易にする。
【００１２】
フレーム当たりＤＬサブフレームの数及びＵＬサブフレームの数は、互いに異なることができ、複数のＤＬサブフレームは、単一のＵＬサブフレームと関連することができる。複数のＤＬサブフレーム及び単一のＵＬサブフレーム間の関連は、複数のＤＬサブフレームでの(データＴＢに該当する)ＰＤＳＣＨ受信に対する応答で発生したビットのＨＡＲＱ−ＡＣＫ情報が単一のＵＬサブフレームで送信される必要があることを意味する。このような数のＤＬサブフレームは、バンドリングウィンドウ(bundling window）と呼ばれ、図１の例で、これは普通４個のサブフレームより小さいか同じであり、９個のサブフレームよりは常に小さいか同じである。
【００１３】
ＵＥが複数のＤＬサブフレームでのＰＤＳＣＨを受信することに対する応答で、単一のＵＬサブフレームでのＨＡＲＱ−ＡＣＫ情報を送信する一つの方法では、ＵＥがすべてのデータＴＢを正確に受信する場合のみにＡＣＫを送信するＨＡＲＱ−ＡＣＫバンドリングがあり、そうでないと、ＵＥはＮＡＣＫを送信する。したがって、ＵＥがただ一つのデータＴＢだけを不正確に受信し、他のすべてのデータＴＢを正確に受信した場合にも、ＮＡＣＫが送信されるので、ＨＡＲＱ−ＡＣＫバンドリングは不必要な再送信を発生させ、減少されたＤＬ処理量を減少させる結果をもたらす。
【００１４】
ＵＥが複数のＤＬサブフレームでのデータＴＢを受信することに対する応答で、単一のＵＬサブフレームでのＨＡＲＱ−ＡＣＫ情報を送信する他の方法では、ＰＵＣＣＨリソース選択に基づくＨＡＲＱ−ＡＣＫマルチプレキシングがある。
【００１５】
ＵＥが複数のＤＬサブフレームでのデータＴＢを受信することに対する応答で、単一のＵＬサブフレームでのＨＡＲＱ−ＡＣＫ情報を送信するもう一つの方法では、例えば、下記で説明されるリードミューラー(Reed-Mueller:ＲＭ)符号のようなブロックコードを用いるＨＡＲＱ−ＡＣＫビットのジョイントコーディング（joint coding）がある。本明細書では、主にＨＡＲＱ−ＡＣＫビットのジョイントコーディングについて説明する。ＨＡＲＱ−ＡＣＫ情報の送信に対する説明を簡潔にするために、但しＰＵＣＣＨに対してのみ説明したが、上記コーディング方法は、基本的にＰＵＳＣＨでの送信と同一である。
【００１６】
ＰＤＳＣＨが一つのＴＢを伝達する場合、ＴＢが正確に受信されると、バイナリ“１”がＡＣＫを指示するように、各ＨＡＲＱ−ＡＣＫ情報はバイナリ“１”として符号化される一つのビットで構成され、ＴＢが不正確に受信されると、バイナリ“０”がＮＡＣＫを指示するように、各ＨＡＲＱ−ＡＣＫ情報はバイナリ“０”として符号化される一つのビットで構成される。ＰＤＳＣＨが２個のＴＢを伝達する場合に、一つ以上のランクを有する単一ユーザ多重入力多重出力(Single User-Multiple Input Multiple Output:ＳＵ−ＭＩＭＯ)送信方法に従って、ＨＡＲＱ−ＡＣＫ情報は、第１のＴＢに該当する
【００１７】
【数１】
0005980789.tif 000002
【００１８】
及び第２のＴＢに該当する
【００１９】
【数２】
0005980789.tif 000003
【００２０】
を具備する２個のビット
【００２１】
【数３】
0005980789.tif 000004
【００２２】
で構成される。ＵＥが空間領域でバンドリングを適用する場合、ＵＥは一つのＨＡＲＱ−ＡＣＫビットのみを生成する。一つのＨＡＲＱ−ＡＣＫビットの送信は、反復コーディングを使用することができ、２個のＨＡＲＱ−ＡＣＫビットの送信は、(３、２)シンプレックスコードを使用することができる。
【００２３】
図２は、従来技術によるＰＵＳＣＨ送信構造を示す図である。
【００２４】
図２を参照すると、サブフレーム２１０は、２個のスロットを含む。それぞれのスロット２２０は、データ、ＨＡＲＱ−ＡＣＫ、又はＲＳ送信のために使用される
【００２５】
【数４】
0005980789.tif 000005
【００２６】
個のシンボルを含む。各シンボル２３０は、チャンネル伝播効果による干渉を緩和させるサイクリックプレフィックス(Cyclic Prefix:ＣＰ)を含む。一つのスロットでのＰＵＳＣＨ送信は、他のスロットでない同じ帯域幅(BandWidth:ＢＷ)又は異なるＢＷで遂行される。各スロットでのいくつかのシンボルは、ＲＳ２４０の送信のために使用され、受信されたデータ及び／又はＨＡＲＱ−ＡＣＫ情報のチャンネル推定及びコヒーレント復調が可能となる。送信ＢＷは、物理リソースブロック(Physical Resource Blocks:ＰＲＢ）と呼ばれる周波数リソースユニットで構成される。各ＰＲＢは、
【００２７】
【数５】
0005980789.tif 000006
【００２８】
個の副搬送波又はリソース要素(Resource Elements:ＲＥ）を含み、ＵＥは、ＰＵＳＣＨ送信ＢＷに対して総
【００２９】
【数６】
0005980789.tif 000007
【００３０】
ＲＥのためのＭＰＵＳＣＨＰＲＢ２５０を割り当てられる。
【００３１】
最後のサブフレームシンボルは、一つ又はその以上のＵＥからのサウンディング(Sounding)ＲＳ(ＳＲＳ)２６０を送信するために使用されることができる。ＳＲＳは、ノードＢに各ＵＥがＳＲＳ送信ＢＷ上で経験したチャンネル媒体の推定を提供する。ノードＢは、ＲＲＣシグナリングのような上位レイヤーシグナリングを介してＳＲＳ送信パラメータを各ＵＥに設定する。データ送信に使用され得るサブフレームシンボルの数は
【００３２】
【数７】
0005980789.tif 000008
【００３３】
であり、最後のサブフレームシンボルがＳＲＳ送信に使用される場合、ＮＳＲＳ＝１で、そうでない場合、ＮＳＲＳ＝０である。
【００３４】
各ＲＳ又はＳＲＳは、固定振幅ゼロ自己相関(Constant Amplitude Zero Auto-Correlation:ＣＡＺＡＣ)シーケンスを用いて構成されると仮定する。ＣＡＺＡＣシーケンスの直交マルチプレキシングは、相互に異なるサイクリックシフト(Cyclic Shift:ＣＳ）を同一のＣＡＺＡＣシーケンスに適用することにより達成され得る。
【００３５】
図３は、従来技術によるＰＵＳＣＨでデータ及びＨＡＲＱ−ＡＣＫを送信する送信部を示す。
【００３６】
図３を参照すると、符号化されたＨＡＲＱ−ＡＣＫビット３２０は、データパンクチャーリング部３３０が符号化されたデートビット３１０をパンクチャーリングして挿入される。その後、離散フーリエ変換(Discrete Fourier Transform:ＤＦＴ）がＤＦＴ部３４０により遂行される。ＰＵＳＣＨ送信ＢＷに対するＲＥは、制御部３５５から指示されたように、副搬送波マッピング部３５０により選択される。逆高速フーリエ変換(Inverse Fast Fourier Transform:ＩＦＦＴ）は、ＩＦＦＴ部３６０により遂行され、ＣＰ挿入は、ＣＰ挿入部３７０により遂行され、時間ウィンドウイングはフィルター３８０により遂行され、送信信号３９０が生成される。簡潔さのために、符号化と変調過程、及びデジタル−アナログ変換器、アナログフィルター、及び送信部アンテナなどのような追加送信部回路は図示しない。
【００３７】
ＰＵＳＣＨ送信は、単一送信に対してＤＦＴ拡散直交周波数分割多重(ＤＦＴ-Spread-Orthogonal Frequency Division Multiple:ＤＦＴ−Ｓ−ＯＦＤＭ)方法によって隣接したＲＥの単一クラスター３９５Ａ又は多重クラスター３９５Ｂ上でなされると仮定する。
【００３８】
図４は、従来技術による図３に示された送信信号を受信する受信部を示す。
【００３９】
図４を参照すると、アンテナは、無線−周波数(Radio Frequency:ＲＦ)アナログ信号を受信し、簡潔さのために図示しないフィルター、増幅器、及びアナログ−デジタルコンバータのようなユニットにより追加処理された後、受信されたデジタル信号４１０は、時間ウィンドウイングのためのフィルター４２０によりフィルタリングされ、ＣＰはＣＰ除去部４３０により除去される。その後、該当受信部は、ＦＦＴ部４４０によるＦＦＴを適用し、制御部４５５の制御の下に、副搬送波デマッピング部４５０による副搬送波デマッピング(de-mapping)により受信部が使用するＲＥを選択する。この後、逆ＤＦＴ(ＩＤＦＴ)部４６０は、ＩＤＦＴを遂行し、抽出部４７０は、ＨＡＲＱ−ＡＣＫビットを抽出してデータビットに対する各ＲＥにイレーザーを位置させ、最後にデータビット４８０を生成する。
【００４０】
簡潔さのために、ＰＵＳＣＨが単一データＴＢを送信すると仮定すると、ＰＵＳＣＨでのＨＡＲＱ−ＡＣＫ送信に対して、ＵＥは、＜数式１＞に示したように符号化されたＨＡＲＱ−ＡＣＫシンボルの各数を決定する。
【００４１】
【数８】
0005980789.tif 000009
【００４２】
＜数式１＞で、ＱＨＡＲＱ−ＡＣＫは、ＨＡＲＱ−ＡＣＫ情報ビットの数を示し、またＨＡＲＱ−ＡＣＫペイロードとも呼ばれる。
【００４３】
【数９】
0005980789.tif 000010
【００４４】
は、ノードＢが上位レイヤーシグナリングを介してＵＥに伝達するパラメータを示し、Ｑｍは、復調シンボル当たりデータ情報ビットの数を示す(直交位相シフト変調(Quadrature Phase Shift Keying:ＱＰＳＫ)、直交振幅変調(Quadrature Amplitude Modulation:ＱＡＭ)１６及びＱＡＭ６４それぞれに対してＱｍ＝２、４、及び６である)。Ｒは同一のＴＢに対する初期ＰＵＳＣＨ送信のデータコード送信率を示し、
【００４５】
【数１０】
0005980789.tif 000011
【００４６】
は、現在サブフレームでのＰＵＳＣＨ送信ＢＷを示し、
【００４７】
【数１１】
0005980789.tif 000012
【００４８】
は、一つの数を次の整数にラウンディングする“シーリング関数（ceiling function）”である。
【００４９】
上記データコード送信率は、＜数式２＞のように定義される。
【００５０】
【数１２】
0005980789.tif 000013
【００５１】
＜数式２＞で、ＣＢはデータコードブロックの総数を示し、Ｋｒはデータコードブロック数字ｒに対するビットの数を示し、
【００５２】
【数１３】
0005980789.tif 000014
【００５３】
は、同一のＴＢの初期ＰＵＳＣＨ送信に対するサブフレームシンボルの数を示し、
【００５４】
【数１４】
0005980789.tif 000015
【００５５】
は、ＰＵＳＣＨ送信ＢＷに対する各ＲＥの数を示す。図２に示したように、符号化されたＨＡＲＱ−ＡＣＫシンボルの最大数は、２個のサブフレームスロットのそれぞれのＲＳに隣接した２個のサブフレームシンボルに位置できる４個のＤＦＴ−Ｓ−ＯＦＤＭシンボル
【００５６】
【数１５】
0005980789.tif 000016
【００５７】
でのＲＥの数に限定される。ＰＵＳＣＨが、例えば、ＳＵ−ＭＩＭＯ送信方式を用いて複数のＴＢを伝達する場合の符号化されたＨＡＲＱ−ＡＣＫシンボルの数に対する決定は、ＰＵＳＣＨが一つのＴＢを伝達する場合と類似しており、これに対する説明は、簡潔さのために省略する。
【００５８】
図５は、従来技術によるＤＦＴ−Ｓ−ＯＦＤＭ送信方法を用いて複数のＨＡＲＱ−ＡＣＫ情報ビットの送信に対する一つのサブフレームスロットでのＰＵＣＣＨ構造を示す。
【００５９】
図５を参照すると、例えば、ＲＭブロックコード及びＱＰＳＫ(簡潔さのために図示せず)をそれぞれ用いて符号化及び変調を遂行した後、１セットの同じＨＡＲＱ−ＡＣＫビット５１０がミキサー５２０により直交カバーリングコード(Orthogonal Covering Code:ＯＣＣ)５３０の要素で乗算され、以後、プリコーダ部５４０によりＤＦＴプリコーディングされる。例えば、ＨＡＲＱ−ＡＣＫビットを運搬するスロット当たり５個のシンボルに対して、ＯＣＣは、５({ＯＣＣ(０)、ＯＣＣ(１)、ＯＣＣ(２)、ＯＣＣ(３)、ＯＣＣ(４)}）の長さを有し、{１、ｅｘｐ(ｊ２π／５)、ｅｘｐ(ｊ４π／５)、ｅｘｐ(ｊ６π／５)、ｅｘｐ(ｊ８π／５)}、又は{１、ｅｘｐ(ｊ４π／５)、ｅｘｐ(ｊ８π／５)、ｅｘｐ(ｊ２π／５)、ｅｘｐ(ｊ６π／５)}、又は{１、ｅｘｐ(ｊ６π／５)、ｅｘｐ(ｊ２π／５)、ｅｘｐ(ｊ８π／５)、ｅｘｐ(ｊ４π／５)}、又は{１、ｅｘｐ(ｊ８π／５)、ｅｘｐ(ｊ６π／５)、ｅｘｐ(ｊ４π／５)、ｅｘｐ(ｊ２π／５)}であり得る。ＤＦＴプリコーダの出力は、ＩＦＦＴ部５５０を経てＤＦＴ−Ｓ−ＯＦＤＭシンボル５６０にマッピングされる。
【００６０】
前の演算が線形であるので、これらの相手命令は相互に交換されることができる。ＰＵＣＣＨ送信は、
【００６１】
【数１６】
0005980789.tif 000017
【００６２】
個のＲＥで構成される一つのＰＲＢにあると仮定されるために、(１２個のＨＡＲＱ−ＡＣＫＱＰＳＫシンボルを含む)各スロットで送信される２４個の符号化されたＨＡＲＱ−ＡＣＫビットが存在し、(３２、ＯＨＡＲＱ−ＡＣＫ)ＲＭコードは(２４、ＯＨＡＲＱ−ＡＣＫ)ＲＭコードにパンクチャーリングされる。同一であるか又は異なるＨＡＲＱ−ＡＣＫビットは、第２のサブフレームスロットで送信されることができる。ＲＳはまた各スロットで送信されてＨＡＲＱ−ＡＣＫ信号のコヒーレント復調を可能にする。ＲＳは、ＩＦＦＴ５８０を経て長さが１２であるＣＡＺＡＣシーケンス５７０から構成され、他のＤＦＴ−Ｓ−ＯＦＤＭシンボル５９０にマッピングされる。
【００６３】
図５のＰＵＣＣＨ構造は、大きいコーディングレートをもたらすことなく制限されたＨＡＲＱ−ＡＣＫペイロードだけをサポートすることができるが、これはＰＵＣＣＨ構造が２４個の符号化されたＨＡＲＱ−ＡＣＫビットだけをサポートできるからである。例えば、単一ＲＭコードは、１０ビットまでのＨＡＲＱ−ＡＣＫペイロードに使用されることができ、デュアルＲＭコードは、１１と２０ビット間のＨＡＲＱ−ＡＣＫペイロードに使用されることができる。デュアルＲＭコードを用いて、ＤＦＴの連続する要素へのマッピングは、順次的に、第１のＲＭコードの出力からの要素と第２のＲＭコードの出力からの要素で交互に遂行され、これは簡潔さのために図示しない。２０ビット以上のＨＡＲＱ−ＡＣＫペイロードに対しては、コンボルーションコーディング（convolutional coding）が使用されることができる。
【００６４】
図６は、従来技術によるＰＵＣＣＨでのＨＡＲＱ−ＡＣＫ信号に対するＵＥ送信部のブロック図である。
【００６５】
図６を参照すると、ＨＡＲＱ−ＡＣＫ情報ビット６０５は、エンコーダ及び変調器６１０により符号化され変調され、以後、ミキサー６２０により各ＤＦＴ−Ｓ−ＯＦＤＭシンボルに対するＯＣＣ６２５の要素と乗算される。ミキサー６２０の出力は、以後、ＤＦＴプリコーダ６３０によりプリコーディングされる。ＤＦＴプリコーディングの後、制御部６５０の制御下に、副搬送波マッピング部６４０により副搬送波マッピングが遂行される。その以後、ＩＦＦＴがＩＦＦＴ部６６０により遂行され、ＣＰがＣＰ挿入部６７０により付加され、信号が時間ウィンドウイングのためのフィルター６８０によりフィルタリングされる。それによって、送信信号６９０が生成される。簡潔さのために、デジタル−アナログコンバータ、アナログフィルター、増幅器、及び送信部アンテナのような追加送信部回路は、図６に図示しない。
【００６６】
図７は、従来技術によるＨＡＲＱ−ＡＣＫ信号に対するノードＢ受信部のブロック図である。
【００６７】
図７を参照すると、無線周波数(ＲＦ)アナログ信号を受信し、これをデジタル信号７１０に変換した後、デジタル信号７１０が時間ウィンドウイングのためのフィルター７２０によりフィルタリングされ、ＣＰ除去部７３０によりＣＰが除去される。以後、ノードＢ受信部は、ＦＦＴ部７４０によりＦＦＴを適用し、制御部７５５の制御下に、副搬送波デマッピング部７５０により副搬送波をデマッピングし、ＩＤＦＴ部７６０によりＩＤＦＴを適用する。以後、ＩＤＦＴ部７６０の出力は、ミキサー７７０により各ＤＦＴ−Ｓ−ＯＦＤＭシンボルに対するＯＣＣ要素７７５と乗算される。加算部７８０は、各スロット上でＨＡＲＱ−ＡＣＫ信号を伝達するＤＦＴ−Ｓ−ＯＦＤＭシンボルに対する出力を合算し、復調器及びデコーダ７９０は、ＨＡＲＱ−ＡＣＫ情報ビット７９５を獲得するために両サブフレームスロット上で合算されたＨＡＲＱ−ＡＣＫ信号を復調し、復号化する。
【００６８】
ＴＤＤシステムで、ＵＥは複数のＤＬサブフレーム上での潜在的ＴＢ受信に該当するＨＡＲＱ−ＡＣＫ情報を送信する必要があるので、ＵＥがＰＵＣＣＨで伝達しなければならないＨＡＲＱ−ＡＣＫペイロードが存在するか否かを決定するとき、ＵＥを助けるために、ＤＬ割り当てインデックス(DL Assignment Index:ＤＡＩ)情報要素(Information Element:ＩＥ)、又はＤＬ ＤＡＩ ＩＥ
【００６９】
【数１７】
0005980789.tif 000018
【００７０】
は、各ＤＬ ＳＡに含まれる。ノードＢは、未来のＤＬサブフレームに与えられたＵＥに対するＤＬ ＳＡが存在するか否かを予測することができないために、
【００７１】
【数１８】
0005980789.tif 000019
【００７２】
は、ＵＥに送信される各ＤＬ ＳＡで増加され、ＤＬサブフレームがＨＡＲＱ−ＡＣＫ信号送信のＵＬサブフレームにリンクされた後にはじめから開始する相対的なカウンターである。ＵＥが最後のＤＬ ＳＡをミスしたら、正しくないＨＡＲＱ−ＡＣＫペイロードが送信され、ノードＢで少なくとも一部のＨＡＲＱ−ＡＣＫビットに対する正しくない理解を発生させることがある。下記の全ての説明で、ＤＬ ＤＡＩ ＩＥはそれぞれ
【００７３】
【数１９】
0005980789.tif 000020
【００７４】
【数２０】
0005980789.tif 000021
【００７５】
【数２１】
0005980789.tif 000022
【００７６】
及び
【００７７】
【数２２】
0005980789.tif 000023
【００７８】
示す値“００”、“０１”、“１０”、及び“１１”を有する２ビットで構成されると仮定する。
【００７９】
図８は、従来技術によるＤＬ ＤＡＩ ＩＥに対する設定を示す。
【００８０】
図８を参照すると、バンドリングウィンドウは、４個のＤＬサブフレームから構成される。ＤＬサブフレーム０ ８１０で、ノードＢは、ＤＬ ＳＡをＵＥに送信してＤＬ ＤＡＩ ＩＥ値を
【００８１】
【数２３】
0005980789.tif 000024
【００８２】
に設定する。ＤＬサブフレーム１ ８２０で、ノードＢは、ＤＬ ＳＡをＵＥに送信してＤＬ ＤＡＩ ＩＥ値を
【００８３】
【数２４】
0005980789.tif 000025
【００８４】
に設定する。ＤＬサブフレーム２ ８３０で、ノードＢは、ＤＬ ＳＡをＵＥに送信しなく、したがってＤＬ ＤＡＩ ＩＥ値が存在しない。ＤＬサブフレーム３ ８４０で、ノードＢはＰＤＳＣＨをＵＥに送信してＤＬ ＤＡＩ ＩＥ値を
【００８５】
【数２５】
0005980789.tif 000026
【００８６】
に設定する。ＵＥが最後のサブフレームでＤＬ ＳＡをミスしたら、ＵＥはこのイベントを認識することができず、ＵＥが各ＤＴＸ又はＮＡＣＫを報告できないために、違った動作が発生する。
【００８７】
ＵＥがバンドリングウィンドウでの最後のサブフレームを除外した一つのサブフレームでノードＢにより送信されたＤＬ ＳＡを検出できなく、同じバンドリングウィンドウでの次のサブフレームで送信されたＤＬ ＳＡを検出すると、ＵＥは自身がミスした以前ＤＬ ＳＡの数を以後のＤＬ ＳＡのＤＬ ＤＡＩ ＩＥ値から推論することができる。ＵＥがバンドリングウィンドウで検出するＤＬ ＳＡの総数は、ＵＤＡＩで示す。そのため、ＵＥは自身が
【００８８】
【数２６】
0005980789.tif 000027
【００８９】
個のＤＬ ＳＡをミスしたことを認識することができる。ここで、
【００９０】
【数２７】
0005980789.tif 000028
【００９１】
は、バンドリングウィンドウでＵＥが検出した最後のＤＬ ＳＡでのＤＬ ＤＡＩ ＩＥ値を示す。ＵＥが実際にミスすることができるＤＬ ＳＡの実際数は、
【００９２】
【数２８】
0005980789.tif 000029
【００９３】
より大きいことができる。これは、ＵＥが自身が検出した最後のＤＬ ＳＡ後に、ＤＬ ＳＡをミスする場合に発生する。
【００９４】
ＵＥがＨＡＲＱ−ＡＣＫ情報を送信するＵＬサブフレームでＰＵＳＣＨ送信を有する場合、ＵＥはＰＵＳＣＨでＨＡＲＱ−ＡＣＫ情報を送信することができる。ＵＥが最後のＤＬ ＳＡをミスする失敗を避けるために、そしてＵＥがＰＵＳＣＨで送信したＨＡＲＱ−ＡＣＫペイロードに対するノードＢとＵＥ間の同一の理解を確実にするために、ＤＡＩ ＩＥはＵＬ ＳＡに含まれてＨＡＲＱ−ＡＣＫペイロードを指示するＵＬ ＤＡＩ ＩＥが存在する。ＰＵＳＣＨ送信がＵＬ ＳＡと関連しない場合、ＵＥはバンドリングウィンドウでのＤＬサブフレームごとにＤＬ ＳＡが存在すると推定する。
【００９５】
ＤＬ ＤＡＩ ＩＥに対して説明すれば、ＵＬ ＤＡＩ ＩＥ値
【００９６】
【数２９】
0005980789.tif 000030
【００９７】
はまたそれぞれ
【００９８】
【数３０】
0005980789.tif 000031
【００９９】
【数３１】
0005980789.tif 000032
【０１００】
【数３２】
0005980789.tif 000033
及び
【０１０１】
【数３３】
0005980789.tif 000034
【０１０２】
を示す値“００”、“０１”、“１０”、及び“１１”を有する２ビットで表現されると仮定する。ＵＥがバンドリングウィンドウで少なくとも一つのＤＬ ＳＡを検出する場合、ＵＬ ＤＡＩ ＩＥビット“１１”は
【０１０３】
【数３４】
0005980789.tif 000035
【０１０４】
にマッピングされる。そうでなければ、上記ビットは
【０１０５】
【数３５】
0005980789.tif 000036
【０１０６】
にマッピングされる。バンドリングウィンドウが４個のサブフレームより大きい場合、１＜ＵＤＡＩ≦５であれば、ＵＬ ＤＡＩ ＩＥ値“００”は
【０１０７】
【数３６】
0005980789.tif 000037
【０１０８】
を指示し、ＵＤＡＩ＞５であれば
【０１０９】
【数３７】
0005980789.tif 000038
【０１１０】
を指示すると仮定する。類似に、ＵＬ ＤＡＩ ＩＥ値“０１”は２＜ＵＤＡＩ≦６であると、
【０１１１】
【数３８】
0005980789.tif 000039
【０１１２】
を指示し、ＵＬ ＤＡＩ ＩＥ値“１０”は３＜ＵＤＡＩ≦７であれば、
【０１１３】
【数３９】
0005980789.tif 000040
【０１１４】
を指示し、ＵＬ ＤＡＩ ＩＥ値“１１”は４＜ＵＤＡＩ ≦８であれば、
【０１１５】
【数４０】
0005980789.tif 000041
【０１１６】
を指示すると仮定する。
【０１１７】
ピークデータ送信率を増加させるために、ノードＢは、ＵＥを複数のセルの搬送波集積(Carrier  Aggregation:ＣＡ)で設定して上位動作ＢＷを提供する。例えば、６０ＭＨｚ以上の通信をＵＥにサポートするために、２０ＭＨｚの３個のセルのＣＡそれぞれが使用されることができる。各セルのＰＤＳＣＨが相互に異なるＴＢを伝達すると仮定すれば、ＵＥは自身が各セルで受信した各ＴＢに対する別個のＨＡＲＱ−ＡＣＫ情報を生成する。これは、ＨＡＲＱ−ＡＣＫ送信が同一のＵＬサブフレームでなされる各ＤＬサブフレームでＵＥが自身が受信した各ＴＢに対する別個のＨＡＲＱ−ＡＣＫ情報を生成する、単一セルＴＤＤ動作と似ている。
【０１１８】
ノードＢは、上位レイヤーシグナリングを用いて１セットのＣセルをＵＥに設定することができ、例えば、媒体接続制御(Medium Access Control:ＭＡＣ)シグナリングを用いてサブフレームでのＰＤＳＣＨ受信に対する１セットのＡセル(Ａ≦Ｃ）を活性化させることができる。しかしながら、ＵＥは非活性セルで送信又は受信することができない。設定されたセルを活性化又は非活性化させるＰＤＳＣＨをミスしたら、ＵＥ及びノードＢは、活性セルに対する相互に異なる理解を有することができる。また、通信を維持するために、ＤＬ／ＵＬの対を有する一つのセルは常に活性状態を維持し、主要セル(Primary cell:Pcell)と呼ばれる。ＵＥからのＰＵＣＣＨ送信は自身のPcellだけで仮定され、ＨＡＲＱ−ＡＣＫ情報は単一ＰＵＳＣＨのみで伝達される。
【０１１９】
図９は、従来技術による複数のＤＬセルを具備した動作に対する図８でのＤＬ ＤＡＩ ＩＥ設計の並列化を示す。
【０１２０】
図９を参照すると、ノードＢは、セル０ ９１０の３個のＤＬサブフレームでＤＬ ＳＡをＵＥに送信し、セル０ ９１０でのＰＤＳＣＨ送信に対してのみＵＥに送信されたＤＬ ＳＡの数によってＤＬ ＤＡＩ ＩＥ値を設定する。これと類似の方式で、ノードＢは、セル１ ９２０での２個のＤＬサブフレームでＤＬ ＳＡをＵＥに送信し、セル１ ９２０及びセル２ ９３０でのＰＤＳＣＨ送信それぞれに対してのみＵＥに送信されたＤＬ ＳＡの数によってＤＬ ＤＡＩ ＩＥ値を設定する。
【０１２１】
単一ＤＬセルで多重ＤＬセロのＰＤＳＣＨ送信に対するＤＬ ＤＡＩ設計の並列化の他の設計は、ＤＬセル及びＤＬサブフレームを介したジョイントＤＬ ＤＡＩ設計を基盤とする。バンドリングウィンドウでの各ＤＬサブフレームに対して、ＤＬ ＤＡＩカウンターはバンドリングウィンドウでの次のＤＬサブフレームを続ける前に、まずセル領域で動作する。
【０１２２】
図１０は、従来技術によるセルを介したジョイントＤＬ ＤＡＩ設計の動作及びＤＬサブフレームを示す。
【０１２３】
図１０を参照すると、ＤＬ ＤＡＩ ＩＥ値はノードＢがＤＬ ＳＡをＵＥに送信するＤＬサブフレーム及び設定されたＤＬセルに対してのみに示される。ＤＬ ＤＡＩカウンターは、セル０ １０１０でのＤＬサブフレーム０から開始し、セル１ １０３０及びセル２ １０３０に対するセル領域ＤＬサブフレーム０で継続する。ＤＬサブフレーム０でのＤＬセル上のすべてのＤＬ ＳＡがカウンディングされた後、ＤＬ ＤＡＩカウンターは、バンドリングウィンドウでの残りのＤＬサブフレームに対してＤＬサブフレーム０で使用した同じ方式で連続的に続ける。このようなＤＬ ＤＡＩ ＩＥはまた値
【０１２４】
【数４１】
0005980789.tif 000042
【０１２５】
にマッピングされる２ビットでなされると仮定する。
【０１２６】
【数４２】
0005980789.tif 000043
【０１２７】
の後、次の値は
【０１２８】
【数４３】
0005980789.tif 000044
【０１２９】
であり、これは
【０１３０】
【数４４】
0005980789.tif 000045
【０１３１】
がモジュロ４で計算されるためである。
【０１３２】
ＵＥが多重ＤＬセル上の通信に対して設定されることに対して、ノードＢにＨＡＲＱ−ＡＣＫ情報を適切に伝達するための根本的な条件は、単一セル通信に対する場合と同一に維持される。言い換えれば、ＰＵＳＣＨでの(３２、ＯＨＡＲＱ−ＡＣＫ)ＲＭコードで符号化されたＯＨＡＲＱ−ＡＣＫビットのＨＡＲＱ−ＡＣＫペイロードの送信に対して、ＵＥ及びノードＢはＯＨＡＲＱ−ＡＣＫに対する同一の理解を有しなければならない。ＰＵＳＣＨ送信電力がデータ送信の推定により決定され、ＨＡＲＱ−ＡＣＫ ＲＥ及びデータＲＥの送信電力が同一であるために、ＨＡＲＱ−ＡＣＫ受信信頼度は、＜数式１＞に示したように、ＯＨＡＲＱ−ＡＣＫと線形的に変更される各ＰＵＳＣＨ ＲＥの数によって変わる。したがって、ＰＵＳＣＨ ＲＥの不必要な消費を防止するために、ＯＨＡＲＱ−ＡＣＫは、可能な限り、最大値であってはならない。
【０１３３】
ＰＵＣＣＨでのＨＡＲＱ−ＡＣＫ送信に対して、ＵＥがいくつかのＤＬ ＳＡをミスすることがあるために、ＵＥとノードＢ間のＨＡＲＱ−ＡＣＫペイロードに対する共通的理解は、ＨＡＲＱ−ＡＣＫペイロードが常に
【０１３４】
【数４５】
0005980789.tif 000046
【０１３５】
ビットである最大値である場合、又は空間領域バンドリングによる最大値である
【０１３６】
【数４６】
0005980789.tif 000047
【０１３７】
場合にのみ達成される。ここで、Ｎｂｕｎｄｌｅは、バンドリングウィンドウのサイズを示し、Ｃは、ＵＥに設定されたＤＬセルの数を示し、Ｃ２は、ＵＥが２個のＴＢを伝達するＰＤＳＣＨ送信モード(ＴＭ）で設定されたＤＬセルの数を示す。
【０１３８】
ＰＵＣＣＨでの最大ＨＡＲＱ−ＡＣＫペイロードを使用することは、追加的なリソースオーバーヘッドを発生させない。(トライステート(tri-state)ＨＡＲＱ−ＡＣＫ情報の場合)ＵＥは、自身が受信していないＴＢに対するＮＡＣＫ又はＤＴＸを送信することができる。しかしながら、ノードＢは、ＤＬ ＳＡがないＤＬセル及びＵＥへのＰＤＳＣＨ送信を既に認知しており、ＨＡＲＱ−ＡＣＫ受信信頼度を向上させるためにＤＬセルのそれぞれに対してＵＥがＮＡＣＫを送信したイベント(事前情報）を使用することができる。これは線形ブロックコード及びＱＰＳＫがＨＡＲＱ−ＡＣＫビットの符号化及び変調にそれぞれ使用されることができ、ノードＢがＵＥへのＤＬ ＳＡ送信無しでセルに該当する所定の位置でＮＡＣＫ(バイナリ“０”)を有するコードワードだけを候補者ＨＡＲＱ−ＡＣＫコードワードとして考慮するために可能である。復号化過程の具現のために、コンボリューションコード又はターボコードが符号化に使用されるか、ＱＡＭがＨＡＲＱ−ＡＣＫビットの変調に使用される場合、上記事前情報の使用は、非実用的であるか、不可能であろう。
【０１３９】
ＰＵＣＣＨでの最大ＨＡＲＱ−ＡＣＫペイロードを使用することが追加リソースオーバーヘッドを発生させないにも関わらず、所望の受信信頼度を達成するために必要以上の送信電力がたびたび使用される。必要以上の電力を消費するＰＵＣＣＨ送信は、ＵＥ電力消費を増加させ、他のセルの同じＢＷでＵＥにより送信された信号の受信信頼度を低下させる追加干渉を発生させる。
【０１４０】
ＵＬサブフレームｉでのＰＵＣＣＨ送信電力ＰＰＵＣＣＨ(ｉ)は、＜数式３＞に示したように与えられると仮定され、これはミリワット当たりデシベル(dBs）の単位(dBm)を有する。
【０１４１】
【数４７】
0005980789.tif 000048
【０１４２】
＜数式３＞で、ＰＣＭＡＸ，ｃは、自身のPcellで最大許可されたＵＥ送信電力を示し、
【０１４３】
【数４８】
0005980789.tif 000049
【０１４４】
は、ＵＥが送信されていると仮定するｎＨＡＲＱ−ＡＣＫ（ｉ）ＨＡＲＱ−ＡＣＫ情報ビットの単調増加関数を示し、Ｆ(ｉ)はＵＬサブフレームｉでＰＰＵＣＣＨ (ｉ)に影響を与えるすべての他のパラメータをキャプチャーリングする一般関数を示す。しかしながら、本発明は、
【０１４５】
【数４９】
0005980789.tif 000050
【０１４６】
の正確な式に限定されなく、例えば、
【０１４７】
【数５０】
0005980789.tif 000051
【０１４８】
が正数である
【０１４９】
【数５１】
0005980789.tif 000052
【０１５０】
に決定されることができるか、
【０１５１】
【数５２】
0005980789.tif 000053
【０１５２】
は、上記送信電力を関数ｎＨＡＲＱ−ＡＣＫ(ｉ)として示す表により提供されることができる。上記数式は送信するデータがあることを示すために、ＵＥにより使用されるサービス要請指示子(Service Request Indicator:ＳＲＩ)のようなＨＡＲＱ−ＡＣＫの追加情報と可能なマルチプレキシングを考慮しないことを注意しなければならない。
キーイッシュー（Key Issue）は、ＵＥが適切なｎＨＡＲＱ−ＡＣＫ値を決定することである。 ｎＨＡＲＱ−ＡＣＫが小さすぎると、該当ＨＡＲＱ−ＡＣＫ受信信頼度は低下する。ｎＨＡＲＱ−ＡＣＫが大きすぎると、干渉及びＵＥバッテリが無駄に増加する。
【０１５３】
一つの可能性は、ｎＨＡＲＱ−ＡＣＫ(ｉ)が各バンドリングウィンドウでＵＥが受信するＴＢの数と同一になるものである。これは過度な送信電力を避けるが、一部ＤＬ ＳＡをミスする程、必要な送信電力を低く見積もることがあり、これはＨＡＲＱ−ＡＣＫ受信信頼度を減少させる。他の可能性は、最大ＨＡＲＱ−ＡＣＫペイロードから
【０１５４】
【数５３】
0005980789.tif 000054
【０１５５】
としてのｎＨＡＲＱ−ＡＣＫ(ｉ)を引き出すものである。これは、必要なＨＡＲＱ−ＡＣＫ受信信頼度を常に満足させるが、たびたび上記送信電力を過度に大きくする。上記２度目の可能性の変形は、活性化されたセルＡの数及びこのような各セルでの設定されたＴＭを考慮するものである。
【０１５６】
【数５４】
0005980789.tif 000055
【０１５７】
であり、ここで、Ａ２は２個のＴＢを伝達する設定されたＴＭを具備する活性化されたセルの数を示す。しかしながら、すべての活性化セルがバンドリングウィンドウでのＤＬサブフレームごとにＵＥにＰＤＳＣＨを送信できないために、過度な送信電力をやはり避けられない。
【発明の概要】
【発明が解決しようとする課題】
【０１５８】
本発明の目的は、少なくとも上述した問題点及び／又は不都合に取り組み、少なくとも以下の便宜を提供することにある。すなわち、本発明の目的は、ＴＤＤシステムに対するＤＬ ＣＡの場合に、所望のＨＡＲＱ−ＡＣＫ受信信頼度を達成しながら、ＰＵＣＣＨでＨＡＲＱ−ＡＣＫ送信電力を設定することにある。
【０１５９】
本発明の他の目的は、ＴＤＤシステムに対するＤＬ ＣＡの場合に、干渉及びＵＥ電力消費を最小化しながら、ＰＵＣＣＨでのＨＡＲＱ−ＡＣＫ送信電力を設定することにある。
【０１６０】
本発明のさらに他の目的は、ＴＤＤシステムに対するＤＬ ＣＡの場合に、送信されたコードワードでのＨＡＲＱ−ＡＣＫ情報ビットと各セル及びサブフレーム間のＵＥとノードＢ間の共通的理解を設定することにある。
【０１６１】
本発明のさらに他の目的は、ＴＤＤシステムに対するＤＬ ＣＡの場合に、ＨＡＲＱ−ＡＣＫ送信に割り当てられたＰＵＳＣＨ ＲＥの数を最小化することにある。
【課題を解決するための手段】
【０１６２】
上記のような目的を達成するために、本発明の実施形態の一態様によれば、ＰＤＳＣＨ受信をスケジューリングするＤＣＩフォーマットでＵＥがＤＡＩ ＩＥの存在及び設計を考慮しながら、そしてＰＵＳＣＨ送信をスケジューリングするＤＣＩフォーマットでＵＥがＤＡＩ ＩＥの存在及び設計を考慮しながら、ＴＤＤ通信システムで動作し、多重ＤＬセルを具備してＰＵＳＣＨでの送信に対するＨＡＲＱ−ＡＣＫペイロード及びＰＵＣＣＨでの送信に対するＨＡＲＱ−ＡＣＫ信号送信電力を決定するＵＥに対する方法及び装置を提供する。
【０１６３】
本発明の実施形態の他の態様によれば、ＵＥは、２個の成分の和であるパラメータを決定してＰＵＣＣＨでのＨＡＲＱ−ＡＣＫ信号送信の送信電力を決定する。第１の成分は、すべての構成されたＤＬセル及びバンドリングウィンドウのすべてのＤＬサブフレームを介して受信されたＴＢの数と同一であり、各ＤＬセルでのＰＵＳＣＨ受信に対してＵＥが有するように構成された送信モードによって変わらない。第２の成分は、ＵＥが受信しなかったにも関わらずミスしたことを確認していないＴＢの数と同一である。ＵＥは自身がミスしたすべてのＰＤＳＣＨを必ず決定できないにも関わらず、ＵＥは自身が検出したＤＬ ＳＡでのＤＬ ＤＡＩ ＩＥ値を用いて自身が各構成されたＤＬセルでミスしたＰＤＳＣＨの数を決定することができる。すると、各構成されたＤＬセルでの各構成されたＰＤＳＣＨ送信モードによって、ＵＥは自身がミスしたＰＤＳＣＨを確認し、ミスした各ＰＤＳＣＨが上記各構成された送信モードにより決定されたＴＢの数を伝達するという仮定の下に、ＵＥはＴＢの数を計算する。
【０１６４】
本発明のさらに他の態様によれば、ＵＥはＰＵＳＣＨがＵＬ ＳＡによりスケジューリングされるか否かによって、ＰＵＳＣＨでマルチプレキシングするためのＨＡＲＱ−ＡＣＫペイロードを決定する。上記ＰＵＳＣＨがＵＬ ＳＡによりスケジューリングされないと、ＵＥは構成されたＤＬセルの数とバンドリングウィンドウのサイズで乗算される２個のＴＢの送信を可能であるように構成されたＰＤＳＣＨ送信モードを有する構成されたＤＬセルの数の和と同じ最大ＨＡＲＱ−ＡＣＫペイロードをマルチプレキシングする。上記ＰＵＳＣＨがＵＬ ＳＡによりスケジューリングされると、ＵＥはＵＬ ＳＡのＵＬ ＤＡＩ ＩＥ値がすべての構成されたＤＬセルに適用可能であり、上記構成されたＤＬセルのそれぞれにあるＵＥに送信されたＰＤＳＣＨの数を示すと考える。すると、上記構成されたＤＬセルのそれぞれに対して、ＵＥが生成したＨＡＲＱ−ＡＣＫペイロードは、上記バンドリングウィンドウのサイズで乗算されたＰＤＳＣＨに対して各構成された送信モードと関連したＴＢの数と同一である。
【０１６５】
本発明の他の目的、利点、及び顕著な特徴は、添付の図面及び本発明の実施形態からなされた以下の詳細な説明から、この分野の当業者に明確になるはずである。
【図面の簡単な説明】
【０１６６】
【図１】従来技術によるＴＤＤシステムに対するフレーム構造を示した図である。
【図２】従来技術によるＰＵＳＣＨ送信構造を示した図である。
【図３】従来技術によるＰＵＳＣＨでデータ及びＨＡＲＱ−ＡＣＫを送信する送信部を示した図である。
【図４】従来技術による図３に示された送信信号を受信する受信部を示した図である。
【図５】従来技術によるＤＦＴ−Ｓ−ＯＦＤＭ送信方法を用いて複数のＨＡＲＱ−ＡＣＫ情報ビットの送信に対する一つのスロットでのＰＵＣＣＨ構造を示した図である。
【図６】従来技術によるＰＵＣＣＨでのＨＡＲＱ−ＡＣＫ信号に対するＵＥ送信部ブロック図である。
【図７】従来技術によるＨＡＲＱ−ＡＣＫ信号に対するノードＢ受信部ブロック図である。
【図８】従来技術によるＤＬ ＤＡＩ ＩＥに対する設定を示した図である。
【図９】従来技術による複数のＤＬセルを具備した動作に対する図８でのＤＬ ＤＡＩ ＩＥ設計の並列化を示した図である。
【図１０】従来技術によるセルを介したジョイントＤＬ ＤＡＩ設計の動作及びＤＬサブフレームを示した図である。
【図１１】本発明の望ましい一実施形態による図９でのＤＬ ＤＡＩ設計の多重ＤＬセルへの直接並列化を仮定して多重ＤＬセルで構成されたＵＥがミスしたＤＬ ＳＡを決定する過程を示した図である。
【図１２】本発明の望ましい一実施形態による図１０に示したように多重ＤＬセルで構成されたＵＥが多重ＤＬセルでのＤＬ ＤＡＩ動作に対してミスしたＤＬ ＳＡを決定する過程を示した図である。
【図１３】本発明の望ましい一実施形態による図１０でのＤＬ ＤＡＩ設計の場合、多重ＤＬセルで構成されたＵＥが自身がミスしたＤＬ ＳＡを決定できない一例を示した図である。
【図１４】本発明の望ましい一実施形態による図１０でのＤＬ ＤＡＩ設計に対して多重ＤＬセルで構成されたＵＥがＨＡＲＱ−ＡＣＫペイロードを決定する過程を示した図である。
【図１５】本発明の望ましい一実施形態によるＵＥが各ＰＵＳＣＨで送信しなければならないＨＡＲＱ−ＡＣＫペイロードを指示するＵＬ ＳＡでのＵＬ ＤＡＩ ＩＥの従来解析の不能は図１１の設定を基盤とする図９でのＤＬ ＤＡＩ設計に対して各多重セルでのバンドリングウィンドウ上の多重ＰＤＳＣＨの受信に対する応答であることを示した図である。
【図１６】本発明の望ましい一実施形態による図９又は図１０でのＤＬ ＤＡＩ設計に対してＵＥがＨＡＲＱ−ＡＣＫペイロード及び順序を決定するためのＨＡＲＱ−ＡＣＫ情報をマルチプレキシングするＰＵＳＣＨに対するＵＬ ＳＡでのＵＬ ＤＡＩ ＩＥの使用を示した図である。
【発明を実施するための形態】
【０１６７】
図面中、同一の図面参照符号は、同一の構成要素、特性、及び構造を意味することが分かるはずである。
【０１６８】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【０１６９】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【０１７０】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面（a  component  surface）”との記載は、１つ又は複数の表面を含む。
【０１７１】
追加で、本発明の望ましい実施形態が離散フーリエ変換(Discrete Fourier Transform:ＤＦＴ)−拡散直交周波数分割多重化(Orthogonal Frequency Division Multiplexing:ＯＦＤＭ)送信を参照して説明されるとしても、本発明の望ましい実施形態は、一般的にすべての周波数分割多重化(Frequency Division Multiplexing:ＦＤＭ)送信に適用されることができ、特に単一搬送波周波数分割多重接続(Single-Carrier Frequency Division Multiple Access:ＳＣ-ＦＤＭＡ)及びＯＦＤＭに適用されることができる。
【０１７２】
すべての説明で、ユーザ端末(ＵＥ）は、ダウンリンク(ＤＬ)スケジューリング割り当て(Scheduling Assignment:ＳＡ）と関連した各送信ブロック(Transmission Block:ＴＢ)に対する応答で、ハイブリッド自動再送要求(Hybrid Automatic Repeatre Quest)−肯定受信確認(Acknowledgement:ＡＣＫ)情報を生成すると仮定する。しかしながら、ＵＥは、ノードＢが各ＤＬ ＳＡを送信しなくても所定のＤＬサブフレームで送信した半持続スケジューリング(ＳＰＳ）ＴＢと関連するＨＡＲＱ−ＡＣＫ情報を決定論的に生成することができる。残っているＴＢで、ＵＥはＳＰＳが存在する場合、ＳＰＳに起因したＨＡＲＱ−ＡＣＫ情報と共に、ＵＥがＤＬ ＳＡに対する応答で生成したＨＡＲＱ−ＡＣＫ情報を含み、ＨＡＲＱ−ＡＣＫの位置は、例えば、全体ＨＡＲＱＡＣＫペイロードの開始であり得る。ＳＰＳＴＢに対する応答であるＨＡＲＱ−ＡＣＫ情報に対する詳細な説明は、簡潔さのために省略する。また、ＤＬ ＳＡが各ＰＤＳＣＨ(及びデータＴＢ）と関連しないで、その代わりに他の目的のための場合も明確に考慮されないだろう。しかしながら、ＵＥはこのようなＤＬ ＳＡに対応するＨＡＲＱ−ＡＣＫ情報ビットを生成すると仮定する。本発明の望ましい実施形態の説明は、構成されたセルを考慮するが、活性化されたセルが代わりに考慮される場合に、同一の主張が直接に適用される。
【０１７３】
本発明の望ましい一実施形態は、ＵＥがＤＬ搬送波集積(Carrier Aggregaion:ＣＡ）を使用する時分割二重化(ＴＤＤ)システムに対する物理的アップリンク制御チャンネル(Physical Uplink Control CHannel:ＰＵＣＣＨ)でのＨＡＲＱ−ＡＣＫ信号の送信電力を決定する方法に対して説明する。ＵＥは、送信電力制御(Transmit Power Control:ＴＰＣ)式である＜数式３＞で使用されるパラメータｎＨＡＲＱ−ＡＣＫ(ｉ)を決定する(簡潔さのために、アップリンク(UpLink:ＵＬ)サブフレームインデックスｉは下記分析で省略される)。ｎＨＡＲＱ−ＡＣＫ(ｉ)を決定する第１のステップは、各構成された物理ダウンリンク共有チャンネル(Physical Downlink Shared CHannel:ＰＤＳＣＨ)送信モード(ＴＭ)を考慮しないで、ＤＬサブフレームバンドリングウィンドウの受信されたＴＢからのＨＡＲＱ−ＡＣＫ情報ビットの数
【０１７４】
【数５５】
0005980789.tif 000056
【０１７５】
で構成される第１の成分を決定するものである。したがって、ＵＥがＰＤＳＣＨでの２個のＴＢがノードＢからセルのＵＥに送信されることができるようにする単一ユーザ多重入力多重出力(Single User-Multiple Input Multiple Output:ＳＵ−ＭＩＭＯ)ＴＭで構成可能であるにも関わらず、送信電力はＰＤＳＣＨ受信が実質的にただ１個のＴＢを伝達する場合、１個のＨＡＲＱ−ＡＣＫビットを考慮する。したがって、ＰＵＣＣＨ送信電力は、各セルに対して構成されたＰＤＳＣＨ ＴＭに依存的ではなく、上記セルでの受信されたＴＢの数に依存的である。ＲがＮｂｕｎｄｌｅ個のＤＬサブフレームのバンドリングウィンドウ上で構成されたセルでの受信されたＴＢの総数を示すと、
【０１７６】
【数５６】
0005980789.tif 000057
【０１７７】
であり、Ｎｒｅｃｅｉｖｅｄ（ｍ，ｃ）は、バンドリングウィンドウのＤＬサブフレームｍで構成されたセルｃでの受信されたＴＢの数を示し、受信されたＴＢに対応するＨＡＲＱ−ＡＣＫビットの総数は、次の＜数式４＞のようである。
【０１７８】
【数５７】
0005980789.tif 000058
【０１７９】
ｎＨＡＲＱ−ＡＣＫ値を決定する第２のステップは、ＤＬ ＤＡＩ ＩＥに基づいて、受信されなかった、ＵＥがミスしたＰＤＳＣＨ受信を決定するために、ＤＬ ＤＡＩ ＩＥを使用するノードＢにより送信されたこととしてＵＥにより推論され得るＴＢに対応するＨＡＲＱ−ＡＣＫビットで構成された第２の成分を決定するものである。ＵＥは、ミスしたＰＤＳＣＨ受信により伝達されるＴＢの数(例えば、１個のＴＢ、又は２個のＴＢが伝達される)が分からないので、ＨＡＲＱ−ＡＣＫビットの各数はより小さい推定を提供するために、ＵＥが確認したミスしたＤＬ ＳＡの各セルで構成されたＰＤＳＣＨ ＴＭを考慮し、ＨＡＲＱ−ＡＣＫ受信信頼度が上記構成されたＰＤＳＣＨ ＴＭが２個のＴＢをＵＥに送信することができるようにする場合、達成できるように常に保証する。したがって、ＵＥが自身が総
【０１８０】
【数５８】
0005980789.tif 000059
【０１８１】
個のＤＬ ＳＡをミスしたと決定し、ＵＥが２個のＴＢ送信が可能であるように構成されたＰＤＳＣＨ ＴＭを有するＤＬセルでは
【数５９】
0005980789.tif 000060
個のＤＬ ＳＡであるとき、ＵＥは、各ＨＡＲＱ−ＡＣＫビットの数を次の＜数式５＞のように決定する。
【０１８２】
【数６０】
0005980789.tif 000061
【０１８３】
ｎＨＡＲＱ−ＡＣＫは、＜数式６＞のように得られる。
【０１８４】
【数６１】
0005980789.tif 000062
【０１８５】
空間バンドリングが適用されると、次の＜数式７＞のようである。
【０１８６】
【数６２】
0005980789.tif 000063
【０１８７】
ここで、
【０１８８】
【数６３】
0005980789.tif 000064
【０１８９】
は、ＵＥにより検出されたＤＬ ＳＡの数を示す。上述したように、ＳＰＳ ＰＤＳＣＨを含めば、
【０１９０】
【数６４】
0005980789.tif 000065
【０１９１】
である。
【０１９２】
図７でのＤＬ ＤＡＩ ＩＥ設計に対して、ｎＨＡＲＱ−ＡＣＫは、次の＜数式８＞のように同等に得られることができる。
【０１９３】
【数６５】
0005980789.tif 000066
【０１９４】
ここで、
【０１９５】
【数６６】
0005980789.tif 000067
【０１９６】
は、ＵＥがセルｃで成功的に受信した最後のＤＬ ＳＡでのＤＬ ＤＡＩ ＩＥ値を示し、ＴＢ（ｍ,ｃ）は、ＵＥがセルｃ及びバンドリングウィンドウのサブフレームｊで受信したＴＢの数を示す。ＵＥがＤＬ ＳＡをミスしたＤＬサブフレームｍ及びセルｃに対して、ＴＢ（ｍ,ｃ）は、セルｃで構成されたＴＭと関連したＴＢの最大数により決定される。図７でのＤＬ ＤＡＩ ＩＥの設計がセル当たりＵＥに送信されたＤＬ ＳＡのカウンターであるので、＜数式８＞は次のようである。
【０１９７】
【数６７】
0005980789.tif 000068
【０１９８】
ここで、ＵＤＡＩ（ｃ）は、ＵＥがバンドリングウィンドウの間にセルｃで検出したＤＬ ＳＡの総数を示す。ＵＥは、自身がセルｃで
【０１９９】
【数６８】
0005980789.tif 000069
【０２００】
個のＤＬ ＳＡをミスしたことを認知する。もし空間バンドリングが適用されると、ＴＢ（ｍ,ｃ）＝１及び
【０２０１】
【数６９】
0005980789.tif 000070
【０２０２】
である。
【０２０３】
ＴＢの数がセルｃで、ＤＬサブフレーム当たり変わらない場合、又は言い換えれば、ＴＢの数が構成されたＴＭに対するＴＢの数と常に同一である場合、
【０２０４】
【数７０】
0005980789.tif 000071
【０２０５】
及び＜数式８＞は、次の＜数式９＞のように簡素化される。
【０２０６】
【数７１】
0005980789.tif 000072
【０２０７】
図１１は、本発明の望ましい一実施形態による図９でのＤＬ ＤＡＩ設計の多重ＤＬセルへの直接並列化を仮定し、多重ＤＬセルで構成されたＵＥがミスしたＤＬ ＳＡを決定する過程を示す図である。
【０２０８】
図１１を参照すると、Ｃ＝３個で構成されたセル及びＮｂｕｎｄｌｅ＝４個のサブフレームのバンドリングウィンドウサイズに対して、ＵＥは、自身が受信したＤＬ ＳＡでＤＬ ＤＡＩ ＩＥ値に基づいて
【０２０９】
【数７２】
0005980789.tif 000073
【０２１０】
個のミスしたＤＬ ＳＡの数をカウンディングしてそれを決定する。セル０ １１１０で、ＵＥは、ＤＬサブフレーム１のＤＬ ＳＡをミスし、ＵＥは、サブフレーム３でのＤＬ ＤＡＩ ＩＥ値
【０２１１】
【数７３】
0005980789.tif 000074
【０２１２】
に基づいてこのイベントを分かるようになり、ここで、ＤＬ ＤＡＩ ＩＥ値は
【０２１３】
【数７４】
0005980789.tif 000075
【０２１４】
であり、ＵＤＡＩ（０）＝２である。セル１ １１２０で、ＵＥは、ＤＬサブフレーム３でＤＬ ＳＡをミスし、ＤＬサブフレーム３がバンドリングウィンドウの最後のサブフレームであるので、このイベントを分からない。ここで、ＤＬ ＤＡＩ ＩＥ値は
【０２１５】
【数７５】
0005980789.tif 000076
【０２１６】
であり、ＵＤＡＩ（１）＝１である。セル２ １１３０で、ＵＥは、ＤＬサブフレーム１でＤＬ ＳＡをミスし、ＤＬサブフレーム２でのＤＬ ＤＡＩ ＩＥ値
【０２１７】
【数７６】
0005980789.tif 000077
【０２１８】
に基づいてこのイベントを分かるようになり、ここで、ＤＬ ＤＡＩ ＩＥ値は
【０２１９】
【数７７】
0005980789.tif 000078
【０２２０】
であり、 ＵＤＡＩ（２）＝１である。したがって、ＵＥは、自身が
【０２２１】
【数７８】
0005980789.tif 000079
【０２２２】
個のＤＬ ＳＡをミスしたと判断し、ＵＥが３個のＤＬ ＳＡをミスし、また３個ミスしたＤＬ ＳＡの各セルを決定するとしても
【０２２３】
【数７９】
0005980789.tif 000080
【０２２４】
である。
【０２２５】
また、セル０でＵＥが２個のＴＢの送信を可能にするＴＭで構成されて(ＴＢｍａｘ（０）＝２)、セル２でＵＥが１個のＴＢ送信を可能にするＴＭで構成される場合(ＴＢｍａｘ（２）＝１)、ＵＥはミスしたＴＢの総数を３であると仮定する(セル０で２個のＴＢ及びセル２で１個のＴＢ)。したがって、上記受信されたＴＢに追加で、ＵＥはｎＨＡＲＫ−ＡＣＫの決定に対してＵＥがミスしたことに確認した
【０２２６】
【数８０】
0005980789.tif 000081
【０２２７】
個のＴＢを考慮する。図１１で、ＵＥは、セル０のＤＬサブフレーム０での２個のＴＢ及びＤＬサブフレーム３での２個のＴＢを受信し、セル１のＤＬサブフレーム３での１個のＴＢを受信し、セル２のＤＬサブフレーム２での１個のＴＢを受信する。したがって、受信されたＴＢの総数及びＨＡＲＱ−ＡＣＫビットの各数は、
【０２２８】
【数８１】
0005980789.tif 000082
【０２２９】
である。したがって、ｎＨＡＲＫ−ＡＣＫ＝９である。
【０２３０】
図１０でのＤＬ ＤＡＩ ＩＥ設計に対して、ｎＨＡＲＱ−ＡＣＫは、次の＜数式１０＞と同等に得られることができる。
【０２３１】
【数８２】
0005980789.tif 000083
【０２３２】
ここで、ＴＢｍａｘは、セル中の一つでＵＥが構成されたＴＭから受信することができるＴＢの最大数を示す。空間バンドリングが適用されると、ＴＢｍａｘ＝１である。したがって、ＴＢｍａｘ＝２である時、
【０２３３】
【数８３】
0005980789.tif 000084
【０２３４】
であり、ＴＢｍａｘ＝１である時、
【０２３５】
【数８４】
0005980789.tif 000085
【０２３６】
である。モジュロ作用に起因して、ＵＥがＤＬ ＤＡＩがＮｒｅｓｅｔ回リセットされることを確認すれば、
【０２３７】
【数８５】
0005980789.tif 000086
【０２３８】
であり、ここで、
【０２３９】
【数８６】
0005980789.tif 000087
【０２４０】
は図１０での設計に対する最後のＤＬ ＤＡＩ ＩＥ値を示し、
【０２４１】
ＵＤＡＩはサイズＮｂｕｎｄｌｅであるバンドリングウィンドウですべてのセル及びＤＬサブフレーム上でＵＥが検出したＤＬ ＳＡの数を示す。空間バンドリングが使用されると、Ｎｒｅｃｅｉｖｅｄ＝ＵＤＡＩであり、
【０２４２】
【数８７】
0005980789.tif 000088
【０２４３】
である。
【０２４４】
図１２は、本発明の望ましい一実施形態による図１０に示したように多重ＤＬセルで構成されたＵＥが多重ＤＬセルでのＤＬ ＤＡＩ作用に対してミスしたＤＬ ＳＡを決定する過程を示す。
【０２４５】
図１２を参照すると、セル０ １２１０で、ＵＥは、サブフレーム１でのＤＬ ＳＡをミスし、セル１ １２２０のＤＬサブフレーム１ １２２２でのＤＬ ＤＡＩ ＩＥ値に基づいて(ＵＥは実際にミスしたＤＬ ＳＡを必ず分かるようにはならないが)ミスしたＤＬ ＳＡを分かるようになる。セル２ １２３０で、ＵＥは、ＤＬサブフレーム１でのＤＬ ＳＡをミスし、セル１のＤＬサブフレーム２ １２３２でのＤＬ ＤＡＩ ＩＥに基づいて(ＵＥは実際にミスしたＤＬ ＳＡを必ず分かるようにはならないが)ミスしたＤＬ ＳＡを分かるようになる。最後に、セル１で、ＵＥは、ＤＬサブフレーム３でのＤＬ ＳＡをミスするが、これはノードＢがＵＥに送信した最後のＤＬ ＳＡであるために、ＵＥはこのイベントが分からない。
【０２４６】
図１０でのＤＬ ＤＡＩ ＩＥ設計に対して、ＵＥが最後のＤＬ ＳＡを除いてミスしたＤＬ ＳＡを確認できるにも関わらず、ＵＥは各セルを決定できない。したがって、ＵＥは自身がミスしたＴＢの数を分からなく、空間バンドリングが使用されない場合、ＵＥは、ＨＡＲＱ−ＡＣＫビットの各数又はｎＨＡＲＱ−ＡＣＫ値を分からない。
【０２４７】
例えば、図１２で、ＵＥは、セル０のＤＬサブフレーム１でミスしたＤＬ ＳＡがセル１又はセル２のＤＬサブフレーム０で送信されたかが分からない。セル０、セル１、及びセル２で、ＵＥが最大２個のＴＢ、１個のＴＢと１個のＴＢがそれぞれに対して送信を可能にするＴＭを構成し、ＵＥはＰＵＣＣＨでのＨＡＲＱ−ＡＣＫ信号送信電力をあまり少なく推定することを避けるために、セル０でのＤＬ ＳＡをミスしたと仮定する必要がある。ＵＥは、自身が２個のＴＢ
【０２４８】
【数８８】
0005980789.tif 000089
【０２４９】
をミスしたと仮定するために、ＵＥはミスしたＴＢの総数を４であると考える。したがって、ＵＥは、ｎＨＡＲＱ−ＡＣＫ及びＰＵＣＣＨでのＨＡＲＱ−ＡＣＫ信号送信電力の決定で、
【０２５０】
【数８９】
0005980789.tif 000090
【０２５１】
個のＴＢ(ＨＡＲＱ−ＡＣＫビット）を追加で考慮する。ｎＨＡＲＱ−ＡＣＫを決定するのに使用された残りのＴＢ(例えば、ＨＡＲＱ−ＡＣＫビット)及びＰＵＣＣＨでのＨＡＲＱ−ＡＣＫ信号送信電力は、受信されたＴＢを基盤とする。
【０２５２】
図１２で、ＵＥは総
【０２５３】
【数９０】
0005980789.tif 000091
【０２５４】
個のＴＢ(ＨＡＲＱ−ＡＣＫビット)に対してセル０のＤＬサブフレーム０で２個のＴＢを受信し、ＤＬサブフレーム３での２個のＴＢを受信し、セル１のＤＬサブフレーム３で１個のＴＢを受信し、セル２のＤＬサブフレーム２で１個のＴＢを受信する。したがって、ｎＨＡＲＱ−ＡＣＫ＝１０である。
【０２５５】
図１１及び図１２の望ましい実施形態は、２個のＤＬ ＤＡＩ設計に対する例示であるだけで、他の設計を除外することを意味しない。望ましい実施形態は、ＰＵＣＣＨでのＨＡＲＱ−ＡＣＫ信号の送信電力を設定する時に、ＵＥが仮定するＨＡＲＱ−ＡＣＫペイロード決定時のＤＬ ＤＡＩ ＩＥの使用を示すことを意味する。例えば、第１の成分は、受信されたＴＢの数の代りに構成されるか、活性化されたセルの数に基づくことができる。
【０２５６】
上述の分析に基づいて、ミスしたＤＬ ＳＡに含まれたＴＢの数をＵＥが決定する他の接近方法は、簡単な方式で考案され得る。例えば、必要以上の大きい電力を有するＰＵＣＣＨでのＨＡＲＱ−ＡＣＫ信号送信を避けるために、ＵＥは各ミスしたＤＬ ＳＡが１個のＴＢを伝達したと仮定することができる。又は、ＵＥがあるセルで２個のＴＢの送信の可能であるように構成されたＴＭを有する場合に、ＵＥはミスしたＰＤＳＣＨ受信の半分が２個のＴＢを伝達し、残りの半分が１個のＴＢを伝達すると仮定することができる(ミスしたＤＬ ＳＡの数が奇数である場合、２個のＴＢに優先権が与えられる)。そして、
【０２５７】
【数９１】
0005980789.tif 000092
【０２５８】
である。
【０２５９】
ＤＬ ＤＡＩ設計がＵＥにバンドリングウィンドウの最後のＤＬサブフレームでのＤＬ ＳＡをミスしたか否かに対する情報を提供できない場合、ＵＥがバンドリングウィンドウの最後のＤＬサブフレームでＤＬ ＳＡを受信できないと、
【０２６０】
【数９２】
0005980789.tif 000093
【０２６１】
決定する時に、ＵＥは(各セルで構成されたＴＭによって)１個又は２個の追加ＴＢを仮定することができる。すると
【０２６２】
【数９３】
0005980789.tif 000094
【０２６３】
であり、例えば、ＵＥが２個のＴＢの送信が可能であるように構成されたＴＭを有する場合、Ｑｌａｓｔ＝２であり、そうでないと、Ｑｌａｓｔ＝１である。多重ＤＬサブフレームをミスする場合、Ｑｌａｓｔ値が変更される。このような方式で、ＵＥはＰＵＣＣＨで必要なＨＡＲＱ−ＡＣＫ信号送信電力をより小さく推定しない。Ｑｌａｓｔにより考慮されなければならないＤＬサブフレームの数は、予め決定されるか、ノードＢによりＵＥに対して設定されることができる。
【０２６４】
本発明の他の望ましい一実施形態は、ＵＥ及びノードＢが送信されたＨＡＲＱ−ＡＣＫ情報に対する同一の理解を有することができるように、ＰＵＳＣＨでのＨＡＲＱ−ＡＣＫペイロードの決定を考慮する。すべての説明で、ＵＥが受信する各ＴＢの(正しい又は正しくない)受信結果によってＵＥはＡＣＫ又はＮＡＣＫを生成し、ＵＥがミスしたことに確認した各ＴＢに対してＮＡＣＫを生成する。まず、ＵＬ ＳＡが存在しない場合を下記で説明する。
【０２６５】
上述したように、図９でのＤＬ ＤＡＩ設計に対して、ＵＥが各セルのバンドリングウィンドウの最後のＤＬサブフレームでＤＬ ＳＡをミスすると、ＵＥはこのイベントを分からない。したがって、ＨＡＲＱ−ＡＣＫペイロードが受信されたＴＢの数、又は受信されたＤＬ ＳＡの数から決定されると、ＵＥは全体ＨＡＲＱ−ＡＣＫペイロードで各ＨＡＲＱ−ＡＣＫビットを含まないので誤った動作が発生し、ノードＢは、ＵＥが最後のＤＬサブフレームでＤＬ ＳＡをミスしたことが分からない。このような誤った動作を避けるために、ＵＥは、ＤＬ ＳＡを受信していない各ＤＬサブフレームの各ＴＢ(又は空間バンドリングで複数のＴＢ)に対してＮＡＣＫを生成することができる。このような方式で適切な動作を保証する場合に、ノードＢがＤＬ ＳＡをＵＥに送信できない場合、ＤＬサブフレームの各ＴＢに対してＮＡＣＫが生成されるために、ＨＡＲＱ−ＡＣＫペイロードが増加する相反関係が成立する。すると、バンドリングウィンドウでＮｂｕｎｄｌｅ個のＤＬサブフレームに対して、ＨＡＲＱ−ＡＣＫペイロードは、次の＜数式１１＞のようである。
【０２６６】
【数９４】
0005980789.tif 000095
【０２６７】
ここで、Ｃは、構成されたセルの数を示し、Ｃ２は、基準ＵＥに対して２個のＴＢの受信が可能であるように構成されたＴＭを具備するように構成されたセルの数を示し、ＴＢｍａｘ（ｃ）は、ＵＥがセルｃで受信するように構成されたＴＢの最大数を示す。空間バンドリングが使用される場合、
【０２６８】
【数９５】
0005980789.tif 000096
【０２６９】
である。ＤＬ ＤＡＩ ＩＥは、この場合に使用されないので、上記はどのＤＬ ＤＡＩ設計にも適用可能である。
【０２７０】
ＰＵＳＣＨでのＨＡＲＱ−ＡＣＫペイロードは、＜数式１１＞によって常に最大可能な値であり、可能なＨＡＲＱ−ＡＣＫペイロード減少に対する方法が考慮されることができる。
【０２７１】
図１０に示されたＤＬ ＤＡＩ設計に対して、空間バンドリングが使用されない限り、ＨＡＲＱ−ＡＣＫペイロードの決定は多くの問題があるが、これは図１０でのＤＬ ＤＡＩ設計が全セルにわたっているからであり、上記セルでＵＥは相互に異なる数のＴＢ(１又は２)に対する受信を可能であるようにするＴＭに対して構成されることができ、どのＤＬ ＳＡをミスしたか、ノードＢ又は、ＵＥが分からない。言い換えれば、ＵＥは、セルで相互に異なる数のＴＢに対する受信を可能にする相互に異なるセルに対して相互に異なるＴＭを有することができる。
【０２７２】
図１３は、本発明の望ましい一実施形態による図１０でのＤＬ ＤＡＩ設計の場合、多重ＤＬセルで構成されたＵＥが自身がミスしたＤＬ ＳＡを決定できない一例を示す。
【０２７３】
図１３を参照すると、ＵＥは、セル０ １３２０でサブフレーム当たり２個のＴＢの受信を可能にするＴＭ及びセル１ １３２０及びセル２ １３３０でサブフレーム当たり１個のＴＢ受信を可能にするＴＭで構成される。ＤＬサブフレーム１で、ＵＥは、セル１でＤＬ ＳＡを受信し、ＤＡＩ ＩＥ値(１３２２）に基づいて自身がＤＬ ＳＡをミスすることが分かり、これは図１３でミスしたＤＬ ＳＡ(１２１５）として図示される。しかしながら、ＵＥは自身がミスしたＤＬ ＳＡがセル０、セル１、又はセル２にあるか分からないので、ＵＥは２個のＴＢをミスするか、１個のＴＢをミスしたことに該当する２個の可能な仮定を有することがある。前後が正しい仮定である一方、後者は正しくなく、ＵＥとノードＢ間のＨＡＲＱ−ＡＣＫペイロードに対して誤解をもたらすことがある。ＤＬサブフレーム２で、ＵＥは、セル２でＤＬ ＳＡを受信し、ＤＡＩ ＩＥ値(１３３２)に基づいて自身が他のＤＬ ＳＡをミスすることが分かり、これは図１３にミスしたＤＬ ＳＡ(１３２５）として図示される。ＵＥは、自身がミスしたＤＬ ＳＡがセル０、セル１、又はセル２にあるかが分からないために、ＵＥは２個のＴＢをミスするか、１個のＴＢをミスしたことに該当する二つの可能な仮定を有することができる。後者が正しい仮定である一方、前者は正しくなく、ＵＥとノードＢ間のＨＡＲＱ−ＡＣＫペイロードに対して誤解をもたらす。明確に、ＵＥが各セルでの構成されたＴＭによってＨＡＲＱ−ＡＣＫビットを生成する場合、ＤＬ ＳＡをミスした時に、ノードＢとＵＥ間のＨＡＲＱ−ＡＣＫペイロードの同一の理解を達成することが不可能である。
【０２７４】
ＵＥとノードＢのペイロードに対する同一の理解及びＨＡＲＱ−ＡＣＫビットの適切な順序を達成するために、ＵＥは常に特定セルで構成されたＴＭに関係なしで、もっとも大きい数のＴＢに対する受信を可能にするＴＭに対応するＨＡＲＱ−ＡＣＫビットを生成しなければならない。
【０２７５】
図１４は、本発明の望ましい一実施形態による図１０でのＤＬ ＤＡＩ設計に対して、多重ＤＬセルで構成されたＵＥがＨＡＲＱ−ＡＣＫペイロードを決定する過程を示す。
【０２７６】
図１４を参照すると、ＵＥは、セル０(１４３０)でサブフレーム当たり２個のＴＢの受信を可能にするＴＭ及びセル１(１４２０)、セル２(１４３０)、及びセル３(１４４０)でサブフレーム当たり１個のＴＢ受信を可能にするＴＭを有するように構成される。ＵＥは、少なくとも一つのセルで２個のＴＢの受信を可能にするＴＭを有するように構成されるために、各セルのＴＭに関係なしでＵＥが確認したＤＬ ＳＡに対して２個のＨＡＲＱ−ＡＣＫビットを生成する。ＤＬサブフレーム０で、ＵＥは、セル０に対してＤＬ ＳＡを受信し、２個のＨＡＲＱ−ＡＣＫビットｂ０及びｂ１(１４１５）を生成する。ＤＬサブフレーム１で、ＵＥは、セル１に対してＤＬ ＳＡを受信し、ＵＥは各ＤＬ ＤＡＩ ＩＥ値(１４２２）に基づいてミスしたＤＬ ＳＡが存在すると判断する。すると、ＵＥは４個のＨＡＲＱ−ＡＣＫビット、ｂ２、ｂ３、ｂ４、及びｂ５(１４２５)を生成し、セル３に対してＤＬ ＳＡを受信し、各ＤＬ ＤＡＩ ＩＥ値(１４３２)に基づいてミスしたＤＬ ＳＡが存在すると判断する。すると、ＵＥは、４個のＨＡＲＱ−ＡＣＫビット、ｂ６、ｂ７、ｂ８、及びｂ９(１４３５)を生成する。最後に、ＤＬサブフレーム３で、ＵＥは、セル０に対してＤＬ ＳＡを受信し、ＵＥがセルの最後で次のＤＬ ＳＡをミスした場合、２個の追加ＨＡＲＱ−ＡＣＫビットを生成する。したがって、ＵＥは４個のＨＡＲＱ−ＡＣＫビットｂ１０、ｂ１１、ｂ１２、及びｂ１３(１４４５)を生成する。セルの最後でＵＥが一つ以上の最後のＤＬ ＳＡをミスする確率は、無視してもよい程度で小さいと仮定する。それとも、上述したように、ＵＥが知っている最後のミスしたＤＬ ＳＡ以後、複数の可能なミスしたＤＬ ＳＡに対応するＨＡＲＱ−ＡＣＫビットの複数の対を生成することができる。
【０２７７】
ＤＬ ＤＡＩ ＩＥ値
【０２７８】
【数９６】
0005980789.tif 000097
【０２７９】
に基づいてＵＥが
【０２８０】
【数９７】
0005980789.tif 000098
【０２８１】
個のＤＬ ＳＡを決定できると仮定し、ＴＢｍａｘをどのセルで構成されたＴＭに対するＴＢの最大数を示すようにし(ここで、ＴＢｍａｘは１又は２であり、空間バンドルが適用される場合、ＴＢｍａｘは常に１である)、Ｑａｄｄを最後の受信されたＤＬ ＳＡ以後にＵＥによりミスしたことと仮定された追加ＤＬ ＳＡの数を示すようにして(Ｑａｄｄは、ノードＢによりＵＥに対して構成されることができ、ＵＥがＱａｄｄ又は最後のＤＬ ＳＡの以下を正しく受信する場合、適切に減少することに注意しなければならない)、ＨＡＲＱ−ＡＣＫペイロードは、次の＜数式１２＞のようである。
【０２８２】
【数９８】
0005980789.tif 000099
【０２８３】
＜数式１２＞でのＨＡＲＱ−ＡＣＫペイロードが＜数式１１＞でのＨＡＲＱ−ＡＣＫペイロードより小さい場合もあるために、特に空間領域バンドリングが適用される場合、＜数式１２＞は、上記送信がＰＵＳＣＨで遂行される場合、ＨＡＲＱ−ＡＣＫペイロードを決定するのに使用されることができる。
【０２８４】
ＵＥが２個の連続するＤＬ ＳＡをミスする確率が無視する程度で小さいという仮定の下に、図１１と比較してＨＡＲＱ−ＡＣＫペイロードを減少させるために、図９でのＤＬ ＤＡＩ設計に対して＜数式１２＞で使用される接近方法も使用されることができる。したがって、ＨＡＲＱ−ＡＣＫペイロードは、＜数式１３＞のようである。
【０２８５】
【数９９】
0005980789.tif 000100
【０２８６】
ここで、
【０２８７】
【数１００】
0005980789.tif 000101
【０２８８】
は、セルｃでのバンドリングウィンドウの間にＵＥがノードＢから送信することに決定したＤＬ ＳＡの数を示し、セルｃの最後のＤＬサブフレームでのＤＬ ＳＡが正確に受信された場合、Ｑａｄｄ（ｃ）＝０であり、そうでない場合、Ｑａｄｄ（ｃ）＝１である。したがって、図９でのＤＬ ＤＡＩ設計に対して、ＵＥは、セル０で３個のＤＬ ＳＡ、セル１で２個のＤＬ ＳＡ、及びセル２で３個のＤＬ ＳＡに対するＨＡＲＱ−ＡＣＫ情報を生成し、同一の理解がノードＢに存在する。
【０２８９】
次に、ＵＬ ＳＡが存在する場合を説明する。ＵＥが期待されるＨＡＲＱ−ＡＣＫ信号送信と同一のＵＬサブフレームでＰＵＳＣＨ送信に対するＵＬ ＳＡを受信し、ＨＡＲＱ−ＡＣＫ情報が上記ＰＵＳＣＨに含まれる場合、従来のＵＬ ＤＡＩ ＩＥはただ単一セルのみに対応し、ＰＵＳＣＨ送信がすべてのセルに存在できないために、上記ＵＬ ＤＡＩ ＩＥは直接に再使用されることができない。
【０２９０】
図１５は、本発明の望ましい一実施形態によるＵＥが各ＰＵＳＣＨで送信しなければならないＨＡＲＱ−ＡＣＫペイロードを指示するＵＬ ＳＡでのＵＬ ＤＡＩ ＩＥの従来解析の不能は、図１１の設定を基盤とする図９でのＤＬ ＤＡＩ設計に対して各多重セルでのバンドリングウィンドウ上の多重ＰＤＳＣＨの受信に対する応答であることを示す。同じ主張が図１０でのＤＬ ＤＡＩ設計に適用される。
【０２９１】
図１５を参照すると、セル０ １５１０で、ＵＥは、ＵＥが３個のＤＬ ＳＡ
【０２９２】
【数１０１】
0005980789.tif 000102
【０２９３】
に対応するＨＡＲＱ−ＡＣＫビットを含む必要があることを示すＵＬ ＤＡＩ ＩＥと共にＵＬ ＳＡを受信する。セル０は、２個のＴＢの受信を可能にするＴＭを有するように構成されると仮定されるために、空間バンドリングが適用されない場合、ＵＬ ＤＡＩ ＩＥの説明は、ＤＬ ＳＡ当たり２個のＨＡＲＱ−ＡＣＫビットの倍数に対することであるべきであり、
【０２９４】
【数１０２】
0005980789.tif 000103
【０２９５】
値は、ＰＵＳＣＨ送信に含まれる６個のＨＡＲＱ−ＡＣＫビットを指示する。それにも関わらず、セル１ １５２０及びセル２ １５３０でＵＥはＵＬ ＳＡ(１５２５及び１３５３)をそれぞれ受信しないので、セル０で受信されたＵＬ ＤＡＩ ＩＥは、ＵＥに各ＰＵＳＣＨ送信に含まれるために必要なＨＡＲＱ−ＡＣＫビットの数を通知する目的のために使用されることができない。
【０２９６】
ＤＬ ＳＡの場合、従来技術のＵＬ ＤＡＩ ＩＥの限定を避けるための一つの接近方法は、ＵＥが４個又はその以上のＤＬ ＳＡをミスする確率が無視してもよい程度で小さいという仮定下に、すべてのセル上でのＵＬ ＤＡＩ ＩＥの適用を考慮するものである(ＵＬ ＤＡＩ ＩＥは、２個のビットで構成されると仮定する)。すると、ＵＬ ＤＡＩ ＩＥの説明は、ＤＬ ＤＡＩ ＩＥ値と連合して考慮されることができる。
【０２９７】
図１３でのＤＬ ＤＡＩ設計に対して、セル０でのＤＬ ＤＡＩ ＩＥ値に基づいて、ＵＥはノードＢが２個のＤＬ ＳＡをＵＥに送信したことを認知する。セル１でのＤＬ ＤＡＩ ＩＥ値に基づいて、ＵＥはノードＢが１個のＤＬ ＳＡを送信したことを認知し、ＵＥが１個のＤＬ ＳＡをミスしたことを認知して、ＵＥはバンドリングウィンドウの最後のＤＬサブフレームでミスしたＤＬ ＳＡが分からない。セル２でのＤＬ ＤＡＩ ＩＥに基づいて、ＵＥはノードＢが１個のＤＬ ＳＡを送信したことを認知し、ＵＥが１個のＤＬ ＳＡをミスしたことを認知する。したがって、ＵＥはノードＢが６個のＤＬ ＳＡを送信したことを認知することができ、ＵＥがそのうち、２個をミスしたことを認知することができる。
【０２９８】
ＵＬ ＤＡＩ ＩＥ値は(バンドリングウィンドウでの４個のＤＬサブフレームを仮定して)モジュロ４で効果的に解析され、
【０２９９】
【数１０３】
0005980789.tif 000104
【０３００】
値は３又は７個のＤＬ ＳＡがノードＢによりＵＥに送信されたことを示す。したがって、ＤＬ ＤＡＩ ＩＥから、ＵＥが、ノードＢが６個のＤＬ ＳＡを送信したことを判断すると、
【０３０１】
【数１０４】
0005980789.tif 000105
【０３０２】
値は、ノードＢが７個のＤＬ ＳＡをＵＥに送信したことを示すことと解析される。ＤＬ ＤＡＩ ＩＥ値に基づいて、ＵＥが、ノードＢが
【０３０３】
【数１０５】
0005980789.tif 000106
【０３０４】
個のＤＬ ＳＡをＵＥに送信し、ＵＥがＵＬ ＤＡＩ ＩＥ値を介して
【０３０５】
【数１０６】
0005980789.tif 000107
【０３０６】
個のＤＬ ＳＡを分かるようになれば、ＵＥはノードＢがＵＥに＜数式１４＞に与えられたような総数
【０３０７】
【数１０７】
0005980789.tif 000108
【０３０８】
個のＤＬ ＳＡを送信したと判断する。
【０３０９】
【数１０８】
0005980789.tif 000109
【０３１０】
上述した接近方法がノードＢがＵＥに送信したＤＬ ＳＡの総数を確認できるにも関わらず、上記方法は送信されたコードワードでのＨＡＲＱ−ＡＣＫビットの適切な位置を確認するためにはまだ不適切である。例えば、図１５で、ＵＥは、自身がＤＬ ＳＡをミスしたことを確認することができるが、ＵＥは、ＤＬ ＳＡがセル１の最後のＤＬサブフレームにあるか、セル２の最後のＤＬサブフレームにあるかを確認することができなく、したがって、ＨＡＲＱ−ＡＣＫ情報が＜数式１５＞に示したようにすべてのセルに適用されると仮定されない限り、ＵＥはＨＡＲＱ−ＡＣＫ情報に対する適切な順序が分からない。
【０３１１】
【数１０９】
0005980789.tif 000110
【０３１２】
この不確実性は、各セルで送信されたＤＬ ＳＡの実際数に関係なく、すべてのセルで送信されたＤＬ ＳＡの同じ数を示すＵＬ ＤＡＩ ＩＥを用いて解決されることができる。例えば、図１３又は図１５で、セル１のようないくつかのセルでの実際ＤＬ ＳＡの数が２であるのに、ＵＬ ＤＡＩ ＩＥはセルに３個のＤＬ ＳＡが存在することを示す。
【０３１３】
図１６は、本発明の望ましい一実施形態による図９又は図１０でのＤＬ ＤＡＩ設計に対して、ＵＥがＨＡＲＱ−ＡＣＫペイロード及び順序を決定するためのＨＡＲＱ−ＡＣＫ情報をマルチプレキシングするＰＵＳＣＨに対するＵＬ ＳＡでのＵＬ ＤＡＩ ＩＥの使用を示す。
【０３１４】
図１６を参照すると、ノードＢが各ＤＬセルで３個のＤＬ ＳＡを送信すると仮定すれば、ＵＬ ＤＡＩ値
【０３１５】
【数１１０】
0005980789.tif 000111
【０３１６】
に基づいて、ＵＥはＨＡＲＱ−ＡＣＫビットを生成する。セルインデックス(Cell_Index)に基盤するセルのようなセルの所定順序が仮定される。ＵＥが受信するＤＬ ＳＡに対して、ＵＥはＴＢの各受信結果が正しいか、正しいではないかに関わらず、ＴＢの各受信結果に対応するＨＡＲＱ−ＡＣＫを生成する。セル０ １６１０で、ＵＥは自身が３個のＤＬ ＳＡを受信したことを確認することができ、２個のＴＢの受信を可能にするＴＭを有するように構成されるために、ＵＥは６個のＨＡＲＱ−ＡＣＫビット(１６１５）を生成する。しかしながら、空間バンドリングが使用される場合、３個のＨＡＲＱ−ＡＣＫビットが生成されることに注意すべきである。
【０３１７】
セル１ １６２０で、ＵＥは自身が１個のＤＬ ＳＡを受信し、記ＤＬ ＳＡが１のＤＬ ＤＡＩ ＩＥ値(１６２２）を有することを確認することができる。ＵＬ ＤＡＩ ＩＥは、３個のＤＬ ＳＡ(１６４０）を示すために、ＵＥは総３個のＨＡＲＱ−ＡＣＫビット(１６２５)に対して、ＨＡＲＱ−ＡＣＫビットの最初のビットの後に位置する２個の追加ＨＡＲＱ−ＡＣＫビット(１６２５）を生成する(ＵＥは、セル１で１個のＴＢの受信を可能にするＴＭを有するように構成されると仮定する)。セル２ １６３０で、ＵＥは自身が１個のＤＬ ＳＡを受信し、２のＤＬ ＤＡＩ ＩＥ値(１４３２）を有することを確認することができる。ＵＬ ＤＡＩ ＩＥが３個のＤＬ ＳＡ(１６４０）を示すために、ＵＥは、ＤＬサブフレーム１でのＴＢ受信に対応するＨＡＲＱ−ＡＣＫビット前に位置した最初のビット及び総３個のＨＡＲＱ−ＡＣＫビット(１６３５)に対するＴＢ受信に対応するＨＡＲＱ−ＡＣＫビットの後に位置した他のビットで構成された２個の追加ＨＡＲＱ−ＡＣＫビットを生成する。ＵＥは、セル２で１個のＴＢ受信を可能にするＴＭで構成されると仮定されることに注意すべきである。したがって、ＨＡＲＱ−ＡＣＫペイロードは、＜数式１６＞に定義されたようである。
【０３１８】
【数１１１】
0005980789.tif 000112
【０３１９】
ＰＵＳＣＨでのＨＡＲＱ−ＡＣＫペイロードは、＜数式１１＞での最大
【０３２０】
【数１１２】
0005980789.tif 000113
【０３２１】
ビットから
【０３２２】
【数１１３】
0005980789.tif 000114
【０３２３】
ビットまで減少する。
【０３２４】
又はセル当たりＤＬ ＳＡの最大数を示す代わりに、ＵＬ ＤＡＩ ＩＥはすべてのセル上でのＤＬ ＳＡの総数を示す。例えば、各セルで構成されたＴＭは、ＨＡＲＱ−ＡＣＫビットの各数に影響を与えないために、これは空間バンドリングが使用される場合、有用であり得る。ＵＬ ＤＡＩ ＩＥ値をＤＬ ＳＡの総数にマッピングすることは、ＵＥに対してノードＢにより構成されることができる。一例が下記表１に示される。ＵＬ ＤＡＩ ＩＥも、ＤＬ ＣＡの場合にこれらの表現に対する粒度及び正確度を向上させるために追加ビットを含むように拡張されることができる。ＵＥがＤＬ ＳＡを受信しない場合、ＵＬ ＤＡＩ値“１１”が０として解析される。
【０３２５】
【表１】
0005980789.tif 000115
【０３２６】
複数のＵＬ ＳＡがＤＬサブフレームバンドリングウィンドウと関連したＵＬサブフレームでの多重セルそれぞれでＰＵＳＣＨ送信に対して受信される場合、ＵＥがすべてのＵＬ ＳＡで同じ値を有しないと、ＵＥはＵＬ ＳＡでのＵＬ ＤＡＩ ＩＥを有効なことと考慮しないことがある。また、ＤＬ ＤＡＩ ＩＥに基づいて、ＵＥが
【０３２７】
【数１１４】
0005980789.tif 000116
【０３２８】
以上のビットを生成する必要があれば、適切なシステム動作に対して、ＵＥはＰＵＳＣＨでのＤＬ ＤＡＩ ＩＥから決定されたＨＡＲＱ−ＡＣＫペイロードを送信できるか、ＰＵＳＣＨを送信しないことがあるが、これは、ＵＥが有効でないＤＬ ＳＡを有効なことと考えるか、有効でないＵＬ ＳＡを有効なことと考えることにより、誤った場合を示すことと見なされることができるためである。
【０３２９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０３３０】
１１０  ５ｍｓハーフフレーム
１２０  スロット
１３０  ＤＬパイロット時間スロット
１４０  ガード周期
１５０  ＵＬパイロット時間スロット
１６０  サブフレーム
【図１】
0005980789.tif 000136
【図２】
0005980789.tif 000137
【図３】
0005980789.tif 000138
【図４】
0005980789.tif 000139
【図５】
0005980789.tif 000140
【図６】
0005980789.tif 000141
【図７】
0005980789.tif 000142
【図８】
0005980789.tif 000143
【図９】
0005980789.tif 000144
【図１０】
0005980789.tif 000145
【図１１】
0005980789.tif 000146
【図１２】
0005980789.tif 000147
【図１３】
0005980789.tif 000148
【図１４】
0005980789.tif 000149
【図１５】
0005980789.tif 000150
【図１６】
0005980789.tif 000151